(57)【要約】【課題】  給電時に生じた磁化を消磁し、残留磁気による不都合を回避することを目的とする。【解決手段】  電子機器（充電台４−１、４−２、電子機器６−１、６−２）はコイル（１２、２２）を含む非接触給電機能を有し、電流供給部（１４、２４）を備えている。コイルは、励磁電流により磁界（Ｍ１）を生成し、または磁界を受けて電流を生成する。電流供給部は、非接触給電中にコイルに流れる電流とは逆方向に流れる電流を、非接触給電後にコイルに供給し、非接触給電中に生じる磁界とは逆極性の磁界（Ｍ２）を生成させる。電子機器は非接触給電により生じた磁化を消磁する。【選択図】        図１
2014200137.tif 000002
【特許請求の範囲】
【請求項１】
励磁電流により磁界を生成し、または磁界を受けて電流を生成するコイルを含む非接触給電機能を有する電子機器であって、
非接触給電中に前記コイルに流れる電流とは逆方向に流れる電流を、非接触給電後に前記コイルに供給し、前記非接触給電中に生じる磁界とは逆極性の磁界を生成させる電流供給部を備え、
前記非接触給電により生じた磁化を消磁することを特徴とする電子機器。
【請求項２】
前記磁化を表す磁化情報を取得し、該磁化情報に基づき前記逆方向に流れる電流の供給を制御する制御部と、
を備えることを特徴とする請求項１に記載の電子機器。
【請求項３】
磁気を検出する磁気検出部と、
を備え、
前記磁気検出部が検出する磁気は前記逆方向に流れる電流の供給の制御に用いられることを特徴とする請求項１または請求項２記載の電子機器。
【請求項４】
前記逆方向に流れる電流は、交流電流または直流電流であることを特徴とする請求項１、請求項２または請求項３記載の電子機器。
【請求項５】
励磁電流により磁界を生成し、または磁界を受けて電流を生成するコイルを含む非接触給電機能を有する電子機器の給電方法であって、
非接触給電中に前記コイルに電流を流して給電し、
非接触給電中に流れる電流とは逆方向に流れる電流を、非接触給電後に前記コイルに供給し、前記非接触給電中に生じる磁界とは逆極性の磁界を生成し、
前記非接触給電により生じた磁化を消磁する
ことを特徴とする電子機器の給電方法。
【請求項６】
励磁電流により磁界を生成し、または磁界を受けて電流を生成するコイルを含む非接触給電機能を有する給電システムであって、
非接触給電中に前記コイルに流れる電流とは逆方向に流れる電流を、非接触給電後に前記コイルに供給し、前記非接触給電中に生じる磁界とは逆極性の磁界を生成させる電流供給部を備え、
前記非接触給電により生じた磁化を消磁することを特徴とする給電システム。
【発明の詳細な説明】
【技術分野】
【０００１】
本開示は、非接触給電機能を含む携帯端末装置などの電子機器、給電方法および給電システムに関する。
【背景技術】
【０００２】
携帯端末装置などの電子機器ではバッテリが搭載されている。このバッテリの充電には外部電源からワイヤレスで電力の供給を受ける非接触給電が利用されている。この非接触給電は、給電側装置と携帯端末装置との間を無接点で電気的に接続し、充電のための電力を携帯端末装置に供給する。
【０００３】
この非接触給電に関し、コイル間に誘導起電力を生じさせて電力を伝送することが知られている（たとえば、特許文献１、２）。また、遮蔽用部材を備えて磁場を遮断することが知られている（たとえば、特許文献１）。
【先行技術文献】
【特許文献】
【０００４】
【特許文献１】特表２００９−５０１０００号公報
【特許文献２】特開２０１１−１７２４３７号公報
【発明の概要】
【発明が解決しようとする課題】
【０００５】
ところで、非接触給電では、磁界を媒介として電力を伝送するので、給電中に電子機器の内部に磁場が発生する。この磁場内に含まれる磁性材料は磁化される。磁性材料を含む磁気センサやマイクロフォンなどの電子部品は磁化されることになる。給電が完了しても、磁化された状態が維持されると、つまり、残留磁気が保持されると、電子部品の動作が不安定になる、正確なセンサ出力が得られないなどの正常な動作が期待できないという課題がある。
【０００６】
斯かる課題に鑑み、本開示の電子機器、給電方法および給電システムは、給電時に生じた磁化を消磁し、残留磁気による不都合を回避することを目的とする。
【課題を解決するための手段】
【０００７】
上記目的を達成するため、本開示の電子機器はコイルを含む非接触給電機能を有し、電流供給部を含んでいる。コイルは、励磁電流により磁界を生成し、または磁界を受けて電流を生成する。電流供給部は、非接触給電中にコイルに流れる電流とは逆方向に流れる電流を、非接触給電後にコイルに供給し、非接触給電中に生じる磁界とは逆極性の磁界を生成させる。電子機器は非接触給電により生じた磁化を消磁する。
【発明の効果】
【０００８】
本開示の電子機器、給電方法および給電システムによれば、給電中に生じる磁界とは逆極性の磁界を生成するので、給電により生じる磁化を消磁させ、残留磁気の影響を軽減できる。たとえば電子部品の動作が安定する。
【０００９】
そして、本発明の他の目的、特徴および利点は、添付図面および各実施の形態を参照することにより、一層明確になるであろう。
【図面の簡単な説明】
【００１０】
【図１】第１の実施の形態に係る充電システムの一例を示す図である。
【図２】充電中の充電システムの一例を示す図である。
【図３】消磁中の充電システムの一例を示す図である。
【図４】給電方法の処理手順の一例を示すフローチャートである。
【図５】第２の実施の形態に係る充電システムの一例を示す図である。
【図６】充電中の充電システムの一例を示す図である。
【図７】消磁中の充電システムの一例を示す図である。
【図８】給電方法の処理手順の一例を示すフローチャートである。
【図９】第３の実施の形態に係る充電システムの一例を示す図である。
【図１０】制御部の機能の一例を示す図である。
【図１１】充電システムの回路構成の一例を示す図である。
【図１２】電力供給回路の回路構成の一例を示す図である。
【図１３】充電時の電流の流れの一例を示す図である。
【図１４】充電台側の電流値および磁場の極性の一例を示す図。
【図１５】電池パック側の電流値および磁場の極性の一例を示す図。
【図１６】消磁時の電流の流れの一例を示す図である。
【図１７】充電台側の電流値および磁場の極性の一例を示す図。
【図１８】電池パック側の電流値および磁場の極性の一例を示す図。
【図１９】給電方法の処理手順の一例を示すフローチャートである。
【図２０】充電異常検出処理の処理手順の一例を示すフローチャートである。
【図２１】非接触充電の動作タイミングの一例を示すチャートである。
【図２２】第４の実施の形態に係る充電システムの回路構成の一例を示す図である。
【図２３】消磁時の電流の流れの一例を示す図である。
【図２４】電池パック側の電流値および磁場の極性の一例を示す図。
【図２５】充電台側の電流値および磁場の極性の一例を示す図。
【図２６】給電方法の処理手順の一例を示すフローチャートである。
【図２７】非接触充電の動作タイミングの一例を示すチャートである。
【図２８】第５の実施の形態に係る充電システムの回路構成の一例を示す図である。
【図２９】消磁時の電流の流れの一例を示す図である。
【図３０】電池パック側の電流値および磁場の極性の一例を示す図。
【図３１】給電方法の処理手順の一例を示すフローチャートである。
【図３２】非接触充電の動作タイミングの一例を示すチャートである。
【図３３】第６の実施の形態に係る充電システムの回路構成の一例を示す図である。
【図３４】他の実施の形態に係る充電システムの一例を示す図である。
【図３５】他の実施の形態に係る充電システムの一例を示す図である。
【図３６】給電方法の処理手順の一例を示すフローチャートである。
【図３７】非接触充電の動作タイミングの一例を示すチャートである。
【図３８】給電方法の処理手順の一例を示すフローチャートである。
【図３９】非接触充電の動作タイミングの一例を示すチャートである。
【図４０】給電方法の処理手順の一例を示すフローチャートである。
【発明を実施するための形態】
【００１１】
〔第１の実施の形態〕
【００１２】
本発明の第１の実施の形態について、図１を参照して説明する。図１は第１の実施の形態に係る充電システムの一例を示している。なお、図１中の矢印は、磁界または電流の向きを示している。
【００１３】
図１に示す充電システム２−１は本開示の給電システムおよび給電方法の一例であり、充電台４−１と電子機器６−１とを含んでいる。充電台４−１および電子機器６−１は、非接触充電機能を有し、磁界Ｍ１を生成して電子機器６−１の蓄電池８を非接触で充電する。蓄電池８の充電は、電子機器６−１の給電の一例である。磁界Ｍ１は、充電磁界または給電磁界の一例であり、時間に応じてその大きさが変動する。また、充電システム２−１は、充電台４−１で磁界Ｍ２を生成して、充電により生じた磁性材料３０の磁化を消磁する。この磁界Ｍ２は、磁化を消磁する消磁磁界の一例であり、磁界Ｍ１とは極性が逆の磁界である。磁界Ｍ２は、静磁界であってもよく、交流磁界であってもよい。非接触充電はワイヤレス充電の一例であり、充電台４−１と電子機器６−１とを接点の接触を伴わずに、電気的に接続して行われる。電気的な接続には、コイル間に誘導起電力を生じさせて電力を伝送させる接続が含まれる。この非接触充電は、非接触給電の一例である。非接触充電は、たとえば磁界Ｍ１を介在させた電磁誘導により行われる。
【００１４】
充電台４−１は、非接触給電の１次側の給電装置または充電装置の一例であって、充電システム２−１の給電部として機能する電子機器である。充電台４−１は、コイル１２に励磁電流Ｉ1を流し、磁界Ｍ１を生成する。充電台４−１は、コイル１２に励磁電流Ｉ2を流して磁界Ｍ２を生成する。充電台４−１は、コイル１２と、電流供給部１４と、切替部１６と、制御部１８とを備えている。
【００１５】
コイル１２は、磁界Ｍ１、Ｍ２を生成する手段の一例であり、電流供給部１４から電流を受け、磁界Ｍ１または磁界Ｍ２を生成する。
【００１６】
電流供給部１４は、コイル１２に励磁電流Ｉ1、Ｉ2を供給する手段の一例である。電流供給部１４は、たとえば、交流電流を生成し、コイル１２に供給する。この交流電流は、たとえば一方向に流れる電流であって、その流量が周期的に変動する。
【００１７】
切替部１６は、たとえば切替スイッチを含み、コイル１２の接続を切替えて、コイル１２と電流供給部１４との接続を逆向きにする。切替部１６は、蓄電池８に充電を行う間、コイル１２に励磁電流Ｉ1が流れるように電流供給部１４をコイル１２に接続する。充電後、切替部１６は、接続を切替えて、コイル１２に励磁電流Ｉ2が流れるように電流供給部１４をコイル１２に接続する。この励磁電流Ｉ2は、励磁電流Ｉ1の電流の向きとは逆向きの電流である。この励磁電流Ｉ2は、たとえば励磁電流Ｉ1の最大電流値と同等の最大電流値を有している。
【００１８】
制御部１８は、充電台４−１の制御手段の一例である。制御部１８は、電流供給部１４を駆動または停止させるための駆動信号を電流供給部１４に送信する。これにより、電流供給部１４からの電流の供給および停止が制御される。制御部１８は、接続の切替を表す切替信号を切替部１６に送信する。これにより、切替部１６の接続が切替えられ、コイル１２に流れる電流の向きが逆転される。制御部１８が電流供給部１４および切替部１６を制御することにより、コイル１２に磁界Ｍ２が生成され、充電により生じた磁性材料３０の磁化の消磁が行われる。駆動信号および切替信号は、少なくとも判別可能な２種類の信号を含んでいればよく、たとえば５〔Ｖ〕電圧などの高電圧および０〔Ｖ〕などの低電圧を用いることができる。制御部１８には、たとえば、ＣＰＵ（central processing unit）、ＭＰＵ（micro processing unit）などのプロセッサが用いられる。
【００１９】
電子機器６−１は、たとえば携帯電話機、ＰＤＡ（personal digital assistant）、スマートフォン、タブレット型端末装置などの携帯電子機器であって、磁界Ｍ１をコイル２２により受けて、充電電流Ｉ3を生成する。充電電流Ｉ3は、給電電流の一例である。電子機器６−１は、充電電流Ｉ3を蓄電池８に充電する。電子機器６−１は、蓄電地８と、コイル２２と、切替部２６と、制御部２８と、磁性材料３０と、電子部品３２とを含んでいる。
【００２０】
蓄電池８は、電気を蓄え電子機器６−１の電子部品３２に電気を供給する手段の一例である。蓄電池８は電気を蓄え供給する機能を有していればよく、たとえばリチウムイオン電池、ニッケル水素電池、ニッケルカドミウム電池などが用いられる。
【００２１】
コイル２２は、電流を生成する手段の一例であり、磁界Ｍ１を受けて、電磁誘導により充電電流Ｉ3を生成する。
【００２２】
切替部２６は、たとえば切替スイッチを含み、コイル２２の接続を切替える。切替部２６は、コイル２２を蓄電池８に接続し、またはコイル２２を蓄電池８から切断する。
【００２３】
制御部２８は、蓄電池８の充電を制御する手段の一例である。制御部２８は、コイル２２の接続の切替えを表す切替信号を切替部２６に送信し、切替部２６の切替えを制御する。制御部２８には、たとえば、ＣＰＵ、ＭＰＵなどのプロセッサが用いられる。
【００２４】
コイル２２、切替部２６、制御部２８および蓄電地８は、充電装置３４−１を形成する。充電装置３４−１は、非接触給電の２次側の給電装置または充電装置の一例であって、充電システム２−１の受電部として機能する電子機器である。充電装置３４−１は、蓄電地８を充電する。
【００２５】
磁性材料３０は、たとえば放射ノイズを抑制するシールド板金や誘導磁場が誘導され易くする磁性体シートなどを含み、電子機器６−１の放射ノイズ対策、または誘導磁場の対策に用いられる。
【００２６】
電子部品３２は、電子機器６−１を形成する部品の一例である。この電子部品３２には、磁石を含む磁石搭載部品、地磁気センサや磁気センサなどの磁力検出集積回路、および磁性材料を含む磁性体部品などが含まれる。磁石搭載部品、磁力検出集積回路、および磁性体部品は、磁気の影響を受けこれらの部品の性能や機能が変化する。つまり、磁石搭載部品、磁力検出集積回路、および磁性体部品は、磁気に対して敏感に反応する。
【００２７】
次に蓄電池８の充電および磁性材料３０の磁化の消磁について図２および図３を参照する。図２は蓄電池に充電を行っている充電中の充電システムを示し、図３は磁化を消磁している消磁中の充電システムを示している。
【００２８】
（充電中の充電システム）
【００２９】
切替部１６は、制御部１８の切替信号に基づき、励磁電流Ｉ1が流れるようにコイル１２と電流供給部１４とを接続する。電流供給部１４は、制御部１８の駆動信号に基づき、コイル１２に励磁電流Ｉ1を供給する。切替部２６は、制御部２８の切替信号に基づき、コイル２２を蓄電池８に接続する。コイル１２に励磁電流Ｉ1が流れると、電磁誘導によりコイル１２とコイル２２間に磁界Ｍ１が生成される。この磁界Ｍ１は、電子機器６−１の内部でも発生し、コイル２２には充電電流Ｉ3が流れる。充電電流Ｉ3は、コイル２２に接続されている蓄電池８に供給される。この結果、蓄電池８が充電される。蓄電池８はコイル１２に励磁電流Ｉ1が流れることで充電される。つまり、励磁電流Ｉ1は充電電流の一例である。磁界Ｍ１の生成により、電子機器６−１内の磁性材料３０は磁化されることになる。
【００３０】
（消磁中の充電システム）
【００３１】
充電が終了すると、切替部１６は、制御部１８の切替信号に基づき、コイル１２に励磁電流Ｉ2が流れるようにコイル１２と電流供給部１４とを接続する。また、切替部２６は、制御部２８の切替信号に基づき、コイル２２を蓄電池８から切断する。コイル１２に励磁電流Ｉ2が流れると、電磁誘導によりコイル１２とコイル２２間に磁界Ｍ２が生成される。この磁界Ｍ２により磁性材料３０の磁化を消磁する。なお、励磁電流Ｉ2は、磁界Ｍ２を生じさせる消磁電流の一例である。
【００３２】
次に電子機器６−１または充電装置３４−１の蓄電池８の給電方法について図４を参照する。図４は、給電方法の処理手順の一例を示している。
【００３３】
非充電状態において、充電処理が開始されると、非接触充電の検出を行う（ステップＳ１）。制御部１８では、電子機器６−１の配置の自動検出により、または充電台４−１の手動操作の検出により、非接触充電を検出する。電子機器６−１の配置の自動検出には、たとえば充電台４−１に電子機器６−１が重ねられることによるコイル１２のインダクタンスの変化が利用される。充電台４−１の手動操作の検出には、たとえば、充電台４−１に形成される操作スイッチの操作が利用される。
【００３４】
制御部１８は電流供給部１４を駆動し、切替部１６を切替えると、励磁電流Ｉ1がコイル１２に流れ、磁界Ｍ１が生成される。制御部２８は、この磁界Ｍ１を検知し、非接触充電の検出を行う。
【００３５】
非接触充電が検出され（ステップＳ１のＹｅｓ）、磁界Ｍ１が生成され、制御部２８が切替部２６を切替えると、コイル２２が蓄電池８に接続され、非接触充電が開始される（ステップＳ２）。電子機器６−１が充電台４−１から離間し、非接触充電が検出されない場合（ステップＳ１のＮｏ）、制御部１８は、非接触充電の検出を繰り返す。
【００３６】
充電中、制御部１８、２８は充電が終了したかを判断し（ステップＳ３）、充電が終了していない場合（ステップＳ３のＮｏ）、制御部１８、２８は充電を継続する。充電が終了した場合（ステップＳ３のＹｅｓ）、制御部１８、２８は非接触充電を終了する（ステップＳ４）。非接触充電が終了すると、制御部１８は磁界Ｍ１の生成を停止させ、制御部２８は切替部２６によりコイル２２を蓄電池８から切断する。
【００３７】
非接触充電の終了後、制御部１８は、切替部１６を切替える。この切替えにより、コイル１２に励磁電流Ｉ2が供給される（ステップＳ５）。励磁電流Ｉ2の供給により磁界Ｍ２が生成され、磁性材料３０の磁化が消磁される。消磁が終わると制御部１８は処理を終了する。
【００３８】
第１の実施の形態によれば、充電台４−１が磁界Ｍ２を生成することにより、非接触充電により生じた磁性材料３０の磁化を消磁することができる。つまり、電子機器６−１の内部の磁場を非接触充電前の状態に戻すことができる。電子機器６−１の内部に存在する既述の磁石搭載部品、磁力検出集積回路、および磁性体部品の性能または機能の劣化が防止される。この結果、磁気に敏感な電子部品３２の動作を安定させることができる。また、磁性体シートなどの磁性材料３０の性能が、その磁化により劣化するのも防止される。
【００３９】
充電台４−１のコイル１２と電流供給部１４との間に切替部１６を設けることで、充電台４−１により電子機器６−１の内部の消磁が可能になる。
【００４０】
〔第２の実施の形態〕
【００４１】
第２の実施の形態について、図５を参照して説明する。図５は第２の実施の形態に係る充電システムの一例を示している。なお、図５に示す構成は一例であって、斯かる構成に本開示の構成が限定されるものではない。図１ないし図３と同一部分には同一符号を付してある。図５中の矢印は、磁界または電流の向きを示している。
【００４２】
図５に示す充電システム２−２は、本開示の給電システムおよび給電方法の一例であり、充電台４−２と、電子機器６−２とを含んでいる。充電台４−２および電子機器６−２は、既述の非接触充電機能を有し、既述の磁界Ｍ１を生成して電子機器６−２の蓄電池８を充電する。蓄電池８の充電は、電子機器６−２の給電の一例である。また、充電システム２−２は、電子機器６−２で既述の磁界Ｍ２を生成して、充電により生じた磁性材料３０の磁化を消磁する。
【００４３】
充電台４−２は、非接触給電の１次側の給電装置または充電装置の一例であって、充電システム２−２の給電部として機能する電子機器である。充電台４−２は、コイル１２に励磁電流Ｉ1を流し、磁界Ｍ１を生成する。充電台４−２は、コイル１２と、電流供給部１４と、制御部１８とを備えている。
【００４４】
コイル１２は、磁界Ｍ１を生成する手段の一例であり、電流供給部１４から励磁電流Ｉ1を受け、磁界Ｍ１を生成する。
【００４５】
電流供給部１４は、コイル１２に励磁電流Ｉ1を供給する手段の一例である。電流供給部１４は、たとえば、交流電流を生成し、生成した交流電流をコイル１２に供給する。この交流電流は、たとえば一方向に流れる電流であって、その流量が周期的に変動する。電流供給部１４は、コイル１２に接続されている。
【００４６】
制御部１８は、充電台４−２を制御する手段の一例である。制御部１８は、既述の駆動信号を電流供給部１４に送信する。これにより、電流供給部１４からコイル１２への電流の供給および停止が制御される。制御部１８には、たとえば、ＣＰＵ、ＭＰＵなどのプロセッサが用いられる。
【００４７】
電子機器６−２は、既述の充電装置３４−１に代えて充電装置３４−２を含むことを除き、第１の実施の形態の電子機器６−１と同様である。電子機器６−２は、磁界Ｍ１をコイル２２により受けて、充電電流Ｉ3を生成する。また、電子機器６−２は、コイル２２に励磁電流Ｉ4を流して磁界Ｍ２を生成する。
【００４８】
コイル２２、電流供給部２４、切替部２６、制御部２８および蓄電地８は、充電装置３４−２を形成する。充電装置３４−２は、非接触給電の２次側の給電装置または充電装置の一例であって、充電システム２−２の受電部として機能する電子機器である。充電装置３４−２は、蓄電池８を充電する。
【００４９】
コイル２２は、電流を生成する手段または磁界を生成する手段の一例であり、磁界Ｍ１を受けて、電磁誘導により充電電流Ｉ3を生成する。また、コイル２２は、電流供給部２４から励磁電流Ｉ4を受け、磁界Ｍ２を生成する。
【００５０】
電流供給部２４は、コイル２２に励磁電流Ｉ4を供給する手段の一例である。電流供給部２４は、たとえば交流電流を生成し、コイル２２に供給する。この交流電流は、たとえば一方向に流れる電流であって、その流量が周期的に変動する電流である。この励磁電流Ｉ4は、充電電流Ｉ3の電流の向きとは逆向きの電流である。この励磁電流Ｉ4は、たとえば励磁電流Ｉ1の最大電流値と同等の最大電流値を有している。
【００５１】
切替部２６は、たとえば切替スイッチを含み、コイル２２の接続を切替える。切替部２６は、蓄電池８に充電を行う間、蓄電地８をコイル２２に接続する。充電が終了すると、切替部２６は、接続を切替えて、電流供給部２４をコイル２２に接続する。
【００５２】
制御部２８は、充電装置３４−２の制御手段の一例である。制御部２８は、電流供給部２４を駆動または停止させるための駆動信号を電流供給部２４に送信する。これにより、電流供給部２４からの電流の供給および停止が制御される。制御部２８は、接続の切替を表す切替信号を切替部２６に送信する。この切替信号に基づき、切替部２６はコイル２２の接続を切替える。制御部２８が電流供給部２４および切替部２６を制御することにより、コイル２２に磁界Ｍ２が生成され、充電により生じた磁性材料３０の磁化の消磁が行われる。制御部２８には、たとえば、ＣＰＵ、ＭＰＵなどのプロセッサが用いられる。
【００５３】
その他の構成は第１の実施の形態と同様であるのでその説明を省略する。
【００５４】
次に蓄電池８の充電および磁化の消磁について図６および図７を参照する。図６は蓄電池に充電を行っている充電中の充電システムを示し、図７は磁化を消磁している消磁中の充電システムを示している。
【００５５】
（充電中の充電システム）
【００５６】
電流供給部１４は、制御部１８の駆動信号に基づき、コイル１２に励磁電流Ｉ1を供給する。切替部２６は、制御部２８の切替信号に基づき、コイル２２を蓄電池８に接続する。コイル１２に励磁電流Ｉ1が流れると、磁界Ｍ１が生成され、コイル２２には充電電流Ｉ3が流れる。充電電流Ｉ3は、コイル２２に接続されている蓄電池８に供給される。この結果、蓄電池８が充電される。
【００５７】
（消磁中の充電システム）
【００５８】
充電が終了すると、電流供給部１４は、制御部１８の駆動信号に基づき停止し、励磁電流Ｉ1の供給を停止する。切替部２６は、制御部２８の切替信号に基づき、コイル２２を電流供給部２４に接続する。電流供給部２４は、制御部２８の駆動信号に基づき励磁電流Ｉ4をコイル２２に供給する。コイル２２に励磁電流Ｉ4が流れると、磁界Ｍ２が生成される。この磁界Ｍ２により磁性材料３０の磁化を消磁する。なお、励磁電流Ｉ4は、磁界Ｍ２を生じさせる消磁電流の一例である。
【００５９】
次に電子機器６−１または充電装置３４−１の蓄電池８の給電方法について図８を参照する。図８は、給電方法の処理手順の一例を示している。
【００６０】
非充電状態において、充電処理が開始されると、非接触充電の検出を行う（ステップＳ１１）。制御部１８では、既述の自動検出または手動操作の検出により、非接触充電を検出する。制御部１８は電流供給部１４を駆動すると、励磁電流Ｉ1がコイル１２に流れ、磁界Ｍ１が生成される。制御部２８は、この磁界Ｍ１を検知し、非接触充電の検出を行う。
【００６１】
非接触充電が検出され（ステップＳ１１のＹｅｓ）、磁界Ｍ１が生成され、制御部２８が切替部２６を切替えると、コイル２２が蓄電池８に接続され、非接触充電が開始される（ステップＳ１２）。電子機器６−２が充電台４−２から離間し、非接触充電が検出されない場合（ステップＳ１１のＮｏ）、制御部１８は、配置の検出を繰り返す。
【００６２】
充電中、制御部１８、２８は充電が終了したかを判断し（ステップＳ１３）、充電が終了していない場合（ステップＳ１３のＮｏ）、制御部１８、２８は充電を継続する。充電が終了した場合（ステップＳ１３のＹｅｓ）、制御部１８、２８は非接触充電を終了する（ステップＳ１４）。非接触充電が終了すると、制御部１８は磁界Ｍ１の生成を停止させ、制御部２８は切替部２６によりコイル２２を蓄電地８から切断し、電流供給部２４に接続する。
【００６３】
非接触充電の終了後、制御部２８は、電流供給部２４を駆動し、励磁電流Ｉ4をコイル２２に供給する（ステップＳ１５）。励磁電流Ｉ4の供給により磁界Ｍ２が生成され、磁性材料３０の磁化が消磁される。消磁が終わると処理を終了させる。
【００６４】
第２の実施の形態によれば、電子機器６−２の充電装置３４−２が磁界Ｍ２を生成することにより、非接触充電により生じた磁性材料３０の磁化を消磁することができる。つまり、電子機器６−２の内部の磁場を非接触充電前の状態に戻すことができる。電子機器６−２の内部に存在する既述の磁石搭載部品、磁力検出集積回路、および磁性体部品の性能または機能の劣化が防止される。この結果、磁気に敏感な電子部品３２の動作を安定させることができる。また、磁性体シートなどの磁性材料３０の性能が、その磁化により劣化するのも防止される。
【００６５】
電子機器６−２の充電装置３４−２が磁界Ｍ２を生成することができる。つまり、電子機器６−２自身が消磁を行うことができる。このため、たとえば、充電途中で電子機器６−２が充電台４−２から離され、非接触充電が途中で終了した場合、たとえば非接触充電が中断した場合、電子機器６−２は充電の途中終了後に磁性材料３０の磁化を消磁することが可能である。
【００６６】
電子機器６−２内に生じた、磁性材料３０の磁化を電子機器６−２自身で消磁することが可能である。
【００６７】
〔第３の実施の形態〕
【００６８】
本発明の第３の実施の形態について、図９、図１０、図１１および図１２を参照して説明する。図９は第３の実施の形態に係る充電システムの一例である。図１０は、制御部の機能の一例を示す図である。図１１は、充電システムの回路構成の一例を示す図である。図１２は、電力供給回路の回路構成の一例を示す図である。なお、図９、図１０、図１１および図１２に示す構成は一例であって、斯かる構成に本開示の構成が限定されるものではない。図１ないし図３および図５ないし図７と同一部分には同一符号を付してある。図９中の矢印は、磁界の向きを示している。図１１中の矢印は、電流の向きを示している。図１１では、携帯端末装置の１０４−１の一部の構成を省略して示している。
【００６９】
図９に示す充電システム１０２−１は、本開示の給電システムおよび給電方法の一例であり、携帯端末装置１０４−１および充電台１０６−１を含んでいる。
【００７０】
携帯端末装置１０４−１は、電子機器６−１の一例である。この携帯端末装置１０４−１はスピーカ１１２と、レシーバ１１４と、磁性体アクチュエータ１１６と、地磁気センサ１１８と、バイブレータ１２０と、磁気センサ１２２と、キースイッチ１２４と、表示装置１２６とを含んでいる。携帯端末装置１０４−１は制御部１２８と、メモリ部１３０と、電池パック１３２−１とを含んでいる。携帯端末装置１０４−１はシールド板金１３４を含み、シールド板金１３４により放射ノイズを抑制する。携帯端末装置１０４−１はシート状の磁性体シート１３６を含み、磁性体シート１３６により誘導磁場を誘導し易くする。シールド板金１３４および磁性体シート１３６は、磁性材料３０の一例である。
【００７１】
スピーカ１１２は音声出力装置の一例であり、制御部１２８から音声信号を受信し、音声を外部に出力する。
【００７２】
レシーバ１１４は音声入力装置の一例であり、外部音声を音声信号に変換し、この音声信号を制御部１２８に出力する。
【００７３】
磁性体アクチュエータ１１６は、エネルギ変換装置の一例であり、外部から入力されたエネルギを物理的な運動に変換する。この磁性体アクチュエータ１１６は、たとえばカメラモジュールのオートフォーカス機能に用いられる。
【００７４】
地磁気センサ１１８は、磁場検出装置の一例であり、携帯端末装置１０４−１の磁気検出部として機能する。地磁気センサ１１８は磁場の検出に用いられる。この地磁気センサ１１８は、たとえば電子コンパスに用いられる。
【００７５】
バイブレータ１２０は、振動装置の一例であり、たとえばモータを回転させることで振動を生成する。つまりバイブレータ１２０には、電磁誘導の動力が利用される。このバイブレータ１２０は、たとえば、携帯端末装置１０４−１の所有者の呼出しに用いられる。
【００７６】
磁気センサ１２２は、磁力を検出する磁力検出装置の一例である。この磁気センサ１２２は、たとえばＡＭＲ（Anisotropic Magneto Resistance）などの磁気抵抗効果素子を含むＡＭＲセンサである。この磁気センサ１２２は、たとえば磁気を利用した非接触スイッチとして用いられる。
【００７７】
キースイッチ１２４は、入力装置の一例である。キースイッチ１２４は、たとえば、キーボードを形成する。キースイッチ１２４は、操作に応じて操作信号を生成し、この操作信号を制御部１２８に出力する。キースイッチ１２４は、磁性材料としてたとえばドーム型板金などの導通性を有する金属を含んでいる。
【００７８】
表示装置１２６は、情報を表示する手段の一例であり、例えば、ディスプレイ装置やＬＥＤ（light emitting diode）などの発光素子を含んでいる。
【００７９】
スピーカ１１２、レシーバ１１４、磁性体アクチュエータ１１６、地磁気センサ１１８、バイブレータ１２０、磁気センサ１２２、キースイッチ１２４および表示装置１２６は磁性材料３０を含む電子部品３２の一例である。また、スピーカ１１２、レシーバ１１４、磁性体アクチュエータ１１６、地磁気センサ１１８、バイブレータ１２０、磁気センサ１２２は、既述の磁気に敏感な電子部品３２の一例である。
【００８０】
メモリ部１３０は、記憶装置の一例であって、例えば、ＲＯＭ（Read Only Memory）およびＲＡＭ（Random Access Memory）を含む。ＲＯＭは、不揮発性のメモリであって、たとえばフラッシュメモリやＥＥＰＲＯＭ（Electrically Erasable and Programmable Read Only Memory ）などである。ＲＯＭは、ＯＳ（Operating System）およびアプリ（アプリケーションソフトウェア：application software）などのプログラムを記憶するほか、各種のデータや設定値の記憶に用いられる。ＲＡＭは、高速なアクセスが可能なメモリであって、例えばデータや設定値の一時的記憶に用いられる。
【００８１】
制御部１２８は、携帯端末装置１０４−１を制御する手段の一例である。この制御部１２８は、たとえばＣＰＵを含み、メモリ部１３０に記憶されているＯＳおよびアプリを実行する。制御部１２８は、携帯端末装置１０４−１に搭載された電子部品３２を機能させるため、音声信号処理部１４２と、無線通信部１４４と、表示部１４６と、時計部１４８と、電源部１５０と、アプリ処理部１５２と、記憶部１５４と、充電部１５６とを含んでいる。
【００８２】
音声信号処理部１４２は、スピーカ１１２から出力する音声信号を処理するとともに、レシーバ１１４に入力された音声信号をレシーバ１１４から受け、この受けた音声信号を処理する。
【００８３】
無線通信部１４４は、携帯端末装置１０４−１で行われる無線通信を制御する。この無線通信は、セルラ通信、ＷＬＡＮ（Wireless Local Area Network）通信、Ｗｉ−Ｆｉ通信、Ｂｌｕｅｔｏｏｔｈ（登録商標）通信などである。
【００８４】
表示部１４６は、文字表示、映像表示、光の点灯または、光の点滅などの表示を制御し、表示装置１２６にこれらの表示を表示させる。
【００８５】
時計部１４８は、時間を計測する。この時間の計測には、たとえば制御部１２８の動作クロックが用いられる。
【００８６】
電源部１５０は、電池パック１３２−１からの受電を制御する。電源部１５０は、電池パック１３２−１の電力状態を監視する。この電力状態は、たとえば電池パック１３２−１の電力残量の情報を含む。電源部１５０は、電力状態に応じて携帯端末装置１０４−１の消費電力量を制御する。
【００８７】
アプリ処理部１５２は、メモリ部１３０に記憶されているアプリケーションソフトウェアを実行する。
【００８８】
記憶部１５４は、メモリ部１３０への情報の書き込みおよびメモリ部１３０からの情報の読み込みを制御する。
【００８９】
充電部１５６は、電池パック１３２−１の充電の際に、電池パック１３２−１のＭＰＵ１８８（図１１）と通信し、充電に用いる情報をＭＰＵ１８８に提供する。この情報は、たとえば地磁気センサ１１８の磁化情報を含んでいる。この磁化情報は、地磁気センサ１１８により計測された磁気の計測データに基づいて生成され、磁性材料の磁化の状態を表している。充電部１５６は、ＭＰＵ１８８から電池パック１３２−１の充電異常に関する情報を受け、その異常の表示および警報の報知に用いられる。
【００９０】
携帯端末装置１０４−１の電池パック１３２−１が既述の非接触充電により充電されると、磁性材料３０を含む電子部品３２および磁性材料３０は、既述の磁界Ｍ１により磁化される。そして磁気に敏感な電子部品３２は、この磁化の影響を受ける。そこで、充電台１０６−１が既述の磁界Ｍ２を生じさせ、磁性材料３０の磁化を消磁する。この磁化の消磁により、電子部品の動作が安定することになる。
【００９１】
図１１に示す充電台１０６−１は、充電台４−１の一例である。充電台１０６−１は、既述の磁界Ｍ１、Ｍ２を生成する。充電台１０６−１は、コイル１２と、電力供給回路１７４と、切替スイッチ１７６と、充電制御部１７８と、コンデンサ１８０とを含んでいる。コイル１２、電力供給回路１７４、切替スイッチ１７６およびコンデンサ１８０は、非接触充電の１次側回路を形成している。充電台１０６−１は、操作部１８２と、表示部１８４と、記憶部１８５とを含んでいる。
【００９２】
コイル１２は、磁界Ｍ１、Ｍ２を生成する手段の一例であり、電力供給回路１７４から電流を受け、磁界Ｍ１または磁界Ｍ２を生成する。
【００９３】
電力供給回路１７４は、電流供給部１４の一例であり、交流電流を生成してコイル１２に供給する。電力供給回路１７４は、たとえば図１２に示すように、電源２４２と、整流回路２４４と、インバータ回路２４６とを含んでいる。電源２４２には、たとえば３相の交流電源が用いられる。電源２４２は、整流回路２４４に接続している。
【００９４】
整流回路２４４は６つのダイオード２４８−１、２４８−２、・・・２４８−６を含んでいる。２つのダイオード２４８−１、２４８−２、２つのダイオード２４８−３、２４８−４、２つのダイオード２４８−５、２４８−６は、それぞれ直列に接続され、一組のダイオード列を形成している。３組のダイオード列は並列に接続され、並列回路が形成されている。各ダイオード列のダイオード間には、電源２４２の各相が接続されている。斯かる構成により、整流回路２４４は、交流電流を直流電流に変換する。並列回路の両端は、インバータ回路２４６に接続している。
【００９５】
インバータ回路２４６は、４つのスイッチ２５０−１、２５０−２、２５０−３、２５０−４を含んでいる。各スイッチ２５０−１、２５０−２、２５０−３、２５０−４は、たとえば帰還ダイオードとトランジスタとが並列に接続される回路構成を含んでいる。２つのスイッチ２５０−１、２５０−２および２つのスイッチ２５０−３、２５０−４はそれぞれ直列に接続され、一組のスイッチ列を形成している。２組のスイッチ列は並列に接続され、並列回路が形成されている。この並列回路の両端が、整流回路２４４の両端に接続している。
【００９６】
整流回路２４４とインバータ回路２４６とを接続する電極線は、コンデンサ２５２を介して接続している。コンデンサ２５２を設置することで、インバータ回路２４６からインバータ回路２４６へ出力される電流を急激に変化させることができる。各スイッチ列のスイッチ間から電力線２５４−１、２５４−２が引き出されている。斯かる構成により、コイル１２で電磁誘導を生じさせる交流電流が生成される。
【００９７】
切替スイッチ１７６は、切替部１６の一例であり、充電制御部１７８から切替信号を受け、コイル１２の接続を切替えて、コイル１２に流れる電流の向きを逆転させる。切替スイッチ１７６の一方には、コイル１２が接続され、他方には接続端１ａ、１ｂ、２ａ、２ｂが形成されている。電力供給回路１７４の電力線２５４−１は接続端１ａ、２ｂに接続され、電力線２５４−２は接続端１ｂ、２ａに接続される。切替スイッチ１７６は、第１の接続として接続端１ａ、２ａをコイル１２に接続し、または第２の接続として接続端１ｂ、２ｂをコイル１２に接続する。
【００９８】
コンデンサ１８０は、コイル１２に対して直列に接続される。このコンデンサ１８０は電磁誘導を介在させた充電において、直列共振コンデンサとして機能する。このコンデンサ１８０は、コイル２２に対して並列に接続されるコンデンサ１９８とともに、共振回路を形成している。
【００９９】
操作部１８２は、充電制御部１７８に接続し、充電台１０６−１の操作に用いられる。操作部１８２はたとえば操作スイッチを含んでいる。操作部１８２が操作されると、操作部１８２は操作に応じた操作信号を充電制御部１７８に出力する。
【０１００】
表示部１８４は、情報を表示する手段の一例であり、例えば、ディスプレイ装置やＬＥＤなどの発光素子を含んでいる。表示部１８４は充電制御部１７８から表示に関する表示情報を受け、その情報を表示する。
【０１０１】
記憶部１８５は、既述のＲＯＭおよびＲＡＭを含み、各種のデータや設定値の記憶に用いられる。また、記憶部１８５が充電制御部１７８の制御プログラムを格納し、充電制御部１７８がこの制御プログラムを実行して、充電台１０６−１を制御するようにしてもよい。
【０１０２】
充電制御部１７８は、制御部１８の一例である。充電制御部１７８は、既述の駆動信号を電力供給回路１７４に送信する。この駆動信号により電力供給回路１７４が駆動し、または停止する。充電制御部１７８は既述の切替信号を切替スイッチ１７６に送信する。充電制御部１７８は、電力供給回路１７４および切替スイッチ１７６の制御のほか、表示部１８および記憶部１８５を制御する。充電制御部１７８は他の機能を含んでもよく、たとえば、時計機能を含み、時間の計測を行ってもよい。
【０１０３】
電池パック１３２−１は、充電装置３４−１の一例であり、たとえば充電レシーバモジュールを形成する。電池パック１３２−１は、コイル２２と、スイッチ１８６と、ＭＰＵ１８８と、電池セル１９０と、保護回路１９２と、電流検出部１９４と、温度検出部１９６と、コンデンサ１９８とを含んでいる。
【０１０４】
コイル２２は電流を生成する手段の一例であり、磁界Ｍ１を受けて、電磁誘導により充電電流Ｉ3を生成する。
【０１０５】
コンデンサ１９８は電磁誘導を介在させた充電において、並列共振コンデンサとして機能する。
【０１０６】
スイッチ１８６は、切替部２６の一例であり、たとえばＦＥＴ（field effect transistor）等のトランジスタを含んでいる。このスイッチ１８６は、たとえば電池セル１９０のプラス極側に設置される。
【０１０７】
ＭＰＵ１８８は、制御部２８の一例であり、電池パック１３２−１の制御部を形成し、電池セル１９０の充電を制御する。ＭＰＵ１８８は、既述の切替信号をスイッチ１８６に送信し、スイッチ１８６の切替えを制御する。ＭＰＵ１８８は、温度検出部１９６および電流検出部１９４の検出情報ならびに制御部１２８から受信する既述の磁化情報を電池セル１９０の充電の制御に用いる。
【０１０８】
電池セル１９０は蓄電池８の一例であり、携帯端末装置１０４−１の電源を形成している。
【０１０９】
保護回路１９２は、過電流を防止する手段の一例であり、電池セル１９０と電流検出部１９４の間に設置される。保護回路１９２は、たとえば電池セル１９０のマイナス極側に設置される。保護回路１９２は、過電流が発生すると電流の流量を抑制する機能を有し、たとえばＰＴＣ（Positive Temperature Coefficient）サーミスタを含んでいる。ＰＴＣサーミスタは、過電流により温度が上昇すると、急激に抵抗値が増加する特性を有している。この抵抗値の増加により、電流の流量が抑制される。また、抵抗値の変化は可逆性を有するので、過電流が解消すると、ＰＴＣサーミスタの温度が低下し、電流の流量抑制が解除される。
【０１１０】
電流検出部１９４は電流を検出する手段の一例であり、保護回路１９２とコイル２２の間に設置される。電流検出部１９４はたとえば電流検出抵抗を含んでいる。
【０１１１】
温度検出部１９６は、温度を検出する手段の一例であり、電池セル１９０の近傍に設置され電池セル１９０の温度を検出する。温度検出部１９６は、たとえばサーミスタを含んでいる。
【０１１２】
コイル２２、スイッチ１８６、電池セル１９０、保護回路１９２および電流検出部１９４は、接続線２０２、２０４、２０６、２０８、２１０、２１２、２１４により環状に接続され、充電電流の流路を形成している。コンデンサ１９８はコイル２２に並列に接続されている。スイッチ１８６、保護回路１９２、電流検出部１９４およびコンデンサ１９８はコイル２２および電池セル１９０間に配置され、ＭＰＵ１８８とともに非接触充電の受電回路２１６を形成している。この受電回路２１６が充電電流Ｉ3を受け、充電電流Ｉ3を電池セル１９０に供給する。
【０１１３】
ＭＰＵ１８８のＭＣＵ（micro controller unit）制御線Ｃ４は、コイル２２とスイッチ１８６との間の接続線２０２に接続されている。ＭＣＵ制御線Ｃ４は、磁界Ｍ１によるコイル２２の電圧変化を検知する。
【０１１４】
ＭＰＵ１８８のＭＣＵ制御線Ｃ３はスイッチ１８６に接続している。このＭＣＵ制御線Ｃ３は、スイッチ１８６の制御に用いられる。
【０１１５】
ＭＰＵ１８８の第１の検出線（Sense 1）は、電流検出部１９４の一方の端部およびマイナス電極２２４に接続し、第２の検出線（Sense 2）は、電流検出部１９４の他方の端部に接続している。このため、第１の検出線（Sense 1）および第２の検出線（Sense 2）間には、電流検出部１９４の端子間の電圧Ｃｖが発生する。電圧Ｃｖは、電流検出部１９４を流れる電流値Ｂｃに換算可能である。つまり、電圧Ｃｖは、電流検出部１９４にかかる電圧情報の他、電流検出部１９４を流れる電流値Ｂｃの情報を含んでいる。ＭＰＵ１８８はこれらの情報を含む電圧Ｃｖを電流検出部１９４から第１の検出線（Sense 1）および第２の検出線（Sense 2）により受けている。ＭＰＵ１８８は、電圧Ｃｖに基づいて電流値Ｂｃを取得する。電池セル１９０と電流検出部１９４とは直列に接続されているので、ＭＰＵ１８８は端子間の電圧Ｃｖから電池セル１９０を流れる電流値Ｂｃを得ることができる。つまり、電圧Ｃｖは充電状態情報であって、電池セル１９０の充電状態を表している。この電流値Ｂｃは電池セル１９０の充電の制御および充電の異常処理に用いられる。
【０１１６】
電池セル１９０の充電の制御には、たとえば、定電流充電制御と定電圧充電制御とが含まれている。定電流充電制御では、電池セル１９０への充電が一定の電流値で行われる。定電圧充電制御では、電池セル１９０への充電が、一定の電圧を印加することで行われる。電池セル１９０の充電は、定電流充電制御により開始され、その後定電圧充電制御に切替えられる。充電の制御を切替えることで充電時間の短縮が図られる。この充電の制御の切替えは、ＭＰＵ１８８により電流検出部１９４の端子間の電圧Ｃｖに基づいて行われる。
【０１１７】
ＭＰＵ１８８の温度検出線（Temp）および第１の検出線（Sense 1）は、温度検出部１９６の異なる端部に接続される。温度検出線（Temp）および第１の検出線（Sense 1）間には、温度検出部１９６の電圧Ｖｔが入力される。この電圧Ｖｔは、電池セル１９０の温度Ｂｔを表す温度情報を含んでいる。温度検出部１９６の電圧Ｖｔは、電池セル１９０の温度異常の判断に用いられる。
【０１１８】
電池パック１３２−１は、プラス電極２２２と、マイナス電極２２４と、温度用端子２２６と、ＭＰＵ制御線２２８とを含んでいる。プラス電極２２２およびマイナス電極２２４は、携帯端末装置１０４−１に電力を供給するための電力端子を形成している。温度用端子２２６およびＭＰＵ制御線２２８は、制御部１２８とＭＰＵ１８８との間を接続し、制御部１２８とＭＰＵ１８８との間の通信のための通信端子を形成している。
【０１１９】
プラス電極２２２は、電池セル１９０のプラス極に接続し、マイナス電極２２４は、保護回路１９２を介して電池セル１９０のマイナス極に接続している。つまり、保護回路１９２は、携帯端末装置１０４−１への電力供給にも使用されている。また、マイナス電極２２４はたとえば接地される。
【０１２０】
温度用端子２２６は温度検出部１９６および温度検出線（Temp）に接続して、電池セル１９０の温度情報を制御部１２８に供給している。この温度情報は、制御部１２８において、電池パック１３２−１の温度異常の判断に用いられる。
【０１２１】
ＭＰＵ制御線２２８はＭＰＵ１８８のＭＣＵ制御線Ｃ１に接続し、制御部１２８とＭＰＵ１８８との間の通信に用いられる。この通信には、ＭＰＵ１８８から制御部１２８への充電状態の通知、制御部１２８からＭＰＵ１８８への時間情報の通知、および制御部１２８からＭＰＵ１８８への地磁気センサ１１８の磁化情報の通知などが含まれる。
【０１２２】
図１１に示す充電システム１０２−１では、充電台１０６−１が、交流の励磁電流Ｉ1、Ｉ2をコイル１２に供給する。このため、コイル１２、２２間に生成される磁界Ｍ１、Ｍ２は、いずれも交流の磁界を含む磁界となる。つまり、充電および消磁には、交流磁界が用いられる。
【０１２３】
（充電時の電流と磁場の関係）
【０１２４】
次に、充電時の電流と磁場の関係について図１３、図１４および図１５を参照する。図１３は、充電時の電流の流れの一例を示している。図１４は、充電時にコイル１２に流れる電流の一例および充電時のコイル１２側の磁場の一例を示している。図１５は、充電時にコイル２２に流れる電流の一例および充電時のコイル２２側の磁場の一例を示している。なお、図１３では、充電台１０６−１と電池パック１３２−１との電磁結合部分のみを示している。図１４のＡおよび図１５のＡに示す電流は、横軸を時間ｔとし、縦軸を電流値で示している。図１４のＡに示す電流は、励磁電流Ｉ1の流れる方向を正の値で表している。図１５のＡに示す電流は、充電電流Ｉ3の流れる方向を正の値で表している。図１４のＢおよび図１５のＢに示す磁場は、横軸を時間ｔとし、縦軸を磁場の極性で示している。図１３中の矢印は、電流の向きを示している。
【０１２５】
図１３に示す充電台１０６−１には、充電時、充電台１０６−１側の矢印が示す向きに励磁電流Ｉ1が流れている。この場合、電池パック１３２−１には、電池パック１３２−１側の矢印が示す向きに充電電流Ｉ3が流れる。励磁電流Ｉ1は、図１４のＡに示すように、時間に対して電流値が変動している。電流を流す間、電流値は正の値を示している。つまり、励磁電流Ｉ1は、電流値を変動させながら一方向に流れている。励磁電流Ｉ1の変動によりコイル１２側には図１４のＢに示すように、マイナス極性の磁場が発生する。
【０１２６】
充電電流Ｉ3は、図１５のＡに示すように、時間に対して電流値が変動している。電流を流す間、電流値は正の値を示している。つまり、充電電流Ｉ3は、電流値を変動させながら一方向に流れている。このため、電池セル１９０を充電する際、電流の向きの反転によるロスが発生しない。コイル１２側の磁場の作用および充電電流Ｉ3がコイル２２を流れることにより、コイル２２側には図１５のＢに示すように、プラス極性の磁場が発生する。コイル１２側の磁場およびコイル２２側の磁場により既述の磁界Ｍ１が形成される。
【０１２７】
（消磁時の電流と磁場の関係）
【０１２８】
次に、消磁時の電流と磁場の関係について図１６、図１７および図１８を参照する。図１６は、消磁時の電流の流れの一例を示している。図１７は、消磁時にコイル１２に流れる電流の一例および消磁時のコイル１２側の磁場の一例を示している。図１８は、消磁時にコイル２２に流れる電流の一例および消磁時のコイル２２側の磁場の一例を示している。なお、図１６では、充電台１０６−１と電池パック１３２−１との電磁結合部分のみを示している。また、図１７のＡおよび図１８のＡに示す電流は、横軸を時間ｔとし、縦軸を電流値で示している。図１７のＡに示す電流は、励磁電流Ｉ2の流れる方向を正の値で表している。図１８のＡに示す電流は、電流Ｉ5の流れる方向を正の値で表している。図１７のＢおよび図１８のＢに示す磁場は、横軸を時間ｔとし、縦軸を磁場の極性で示している。図１６中の矢印は、電流の向きを示している。
【０１２９】
図１６に示す充電台１０６−１には、消磁時、図１６に示すように、励磁電流Ｉ1（図１３）とは逆向きの励磁電流Ｉ2が流れている。電池パック１３２−１には、充電電流Ｉ3（図１３）とは逆向きの電流Ｉ5が流れる。励磁電流Ｉ2は、図１７のＡに示すように、電流値は正の値を示し、電流値を変動させながら一方向に流れている。励磁電流Ｉ2の変動によりコイル１２側には図１７のＢに示すように、プラス極性の磁場が発生する。
【０１３０】
電流Ｉ5は、図１８のＡに示すように、電流値は正の値を示し、電流値を変動させながら一方向に流れている。コイル１２側の磁場の作用および電流Ｉ5がコイル２２を流れることにより、コイル２２側には図１８のＢに示すように、マイナス極性の磁場が発生する。コイル１２側の磁場およびコイル２２側の磁場により既述の磁界Ｍ２が形成される。
【０１３１】
電流の向きを逆向きにすることにより、充電台１０６−１は充電時と消磁時で磁場の極性を逆転できる。
【０１３２】
次に、給電方法について図１９を参照する。図１９は、給電方法の処理手順の一例を示している。
【０１３３】
この給電方法は、電池セル１９０を充電するための充電工程２６２と、充電により生じた磁性材料３０の磁化を消磁する消磁工程２６４−１とを含んでいる。
【０１３４】
（充電工程２６２）
【０１３５】
充電工程２６２は、充電台１０６−１の検出処理（ステップＳ１０１）からスイッチ１８６のオフ状態への切替え処理（ステップＳ１０９）までの処理を含んでいる。非充電状態において、充電制御部１７８では、携帯端末装置１０４−１の配置の自動検出により、または充電台１０６−１の手動操作の検出により、非接触充電を検出する。自動検出および手動操作の検出には、たとえば、第１の実施の形態で既述した方法が用いられる。充電制御部１７８が電力供給回路１７４を駆動し、切替スイッチ１７６を切替えると、励磁電流Ｉ1がコイル１２に流れ、磁界Ｍ１が生成される。ＭＰＵ１８８がＭＣＵ制御線Ｃ４によりコイル２２の電圧変化を検知し、磁界Ｍ１が検知される。ＭＰＵ１８８は充電台１０６−１を検出しているかを判断する（ステップＳ１０１）。
【０１３６】
充電台１０６−１を検出していない場合（ステップＳ１０１のＮｏ）、充電台１０６−１の検出が繰り返される。充電台１０６−１を検出した場合（ステップＳ１０１のＹｅｓ）、携帯端末装置１０４−１の制御部１２８へ充電状態の通知が行われる（ステップＳ１０２）。ＭＰＵ１８８はＭＣＵ制御線Ｃ１により制御部１２８へ充電の状態を通知する。この状態の通知により、充電の開始が制御部１２８へ通知される。制御部１２８は、充電の状態の通知を受けて、充電状態の表示処理を行なう。この充電状態の表示処理には、たとえばＬＥＤなどの表示装置１２６の点灯処理などが含まれる。
【０１３７】
ＭＰＵ１８８がＭＣＵ制御線Ｃ３によりスイッチ１８６をオンに切替え、コイル２２と電池セル１９０とを接続し（ステップＳ１０３）、非接触充電を開始する（ステップＳ１０４）。充電時、ＭＰＵ１８８は、充電異常の検出処理（ステップＳ１０５）および、充電終了条件が充足されたかを判定する（ステップＳ１０６）。充電終了条件を充足しているか否かは、たとえばスイッチ１８６を流れる充電電流Ｉ3の流量が、充電を終了させる電流値、つまり終止電流値であるか否かにより判定すれば良い。充電電流Ｉ3の流量が、充電を終了させる電流値であるか否かは、たとえば、スイッチ１８６の制御に用いられるＭＣＵ制御線Ｃ３の電圧の変化により判断すれば良い。充電終了条件を充足しているか否かは、充電時間Ｔｃが予め設定した充電停止時間を経過したかにより判定してもよい。充電時間Ｔｃは、充電開始からの時間情報であって、たとえばＭＰＵ制御線２２８を介して制御部１２８から送信される時間の情報を用いて計測される。充電時間Ｔｃは、ＭＰＵ１８８が時間をカウントして計測してもよい。充電終了条件を充足していない場合（ステップＳ１０６のＮｏ）、非接触充電（ステップＳ１０４）が継続し、設定された間隔で充電異常の検出処理（ステップＳ１０５）を繰り返し、異常状態か否かを監視する。
【０１３８】
充電終了条件を充足すると（ステップＳ１０６のＹｅｓ）、ＭＰＵ１８８は、ＭＣＵ制御線Ｃ１により携帯端末装置１０４−１の制御部１２８へ充電の状態を通知する（ステップＳ１０７）。この状態の通知により、充電の終了が制御部１２８へ通知される。制御部１２８は、充電状態表示処理を停止し、表示装置１２６が消灯される。ＭＰＵ１８８は非接触充電を終了し（ステップＳ１０８）、ＭＣＵ制御線Ｃ３によりスイッチ１８６をオフに切替えコイル２２と電池セル１９０とを切断する（ステップＳ１０９）。
【０１３９】
（消磁工程２６４−１）
【０１４０】
消磁工程２６４−１は、非接触充電が終了した後、充電工程２６２に続いて行われる。消磁工程２６４−１は、切替スイッチ１７６の切替え処理（ステップＳ１１０）から切替スイッチ１７６の切替え処理（ステップＳ１１６）までの処理を含んでいる。
【０１４１】
充電制御部１７８は、切替スイッチ１７６の設定を接続端１ａ、２ａによる第１の接続から、接続端１ｂ、２ｂによる第２の接続に切替え（ステップＳ１１０）、電力供給回路１７４を駆動する。電力供給回路１７４により消磁用電力の供給が開始される（ステップＳ１１１）。コイル１２では、励磁電流Ｉ2がコイル１２に流れ、磁界Ｍ２が発生し、消磁動作が開始される。充電により生じた磁性材料３０の磁化の消磁が開始される。消磁の開始後、充電制御部１７８は、消磁時間Ｔdを計測する。この消磁時間Ｔｄは、消磁を開始してからの経過時間を表している。この消磁時間Ｔdは、たとえば制御部１２８から送信される時間の情報を用いて計測される。消磁時間Ｔdの計測は、たとえば充電制御部１７８が時間をカウントして計測する。また、充電制御部１７８は、時間の情報をＭＰＵ制御線２２８およびコイル１２、２２による電磁結合を介して制御部１２８またはＭＰＵ１８８から受信してもよい。
【０１４２】
充電制御部１７８は、消磁時間Ｔdが設定時間Ｔoutをタイムアウトしたかを判定する（ステップＳ１１２）。この判定は、たとえば、消磁時間Ｔdが設定時間Ｔoutであるかにより判定される。消磁時間Ｔdが設定時間Ｔout未満である場合（ステップＳ１１２のＮｏ）、消磁動作が継続する。消磁時間Ｔdが設定時間Ｔout以上になると（ステップＳ１１２のＹｅｓ）、充電制御部１７８は、消磁用電力の供給を停止し（ステップＳ１１３）、消磁動作を終了する。なお、設定時間Ｔoutは、記憶部１８５に予め設定された時間であってもよい。また、設定時間Ｔoutは、充電開始から終了までの充電時間に基づき充電制御部１７８が設定した時間であってもよい。設定時間Ｔoutが充電時間に基づき設定されると、充電時間に応じて消磁時間が設定できる。つまり、充電時間に対応して変動する磁化の量に応じて消磁時間が設定できる。
【０１４３】
消磁動作の終了後、充電制御部１７８は携帯端末装置１０４−１内の磁場を計測する（ステップＳ１１４）。たとえば携帯端末装置１０４−１の磁場変化を地磁気センサ１１８により計測する。地磁気センサ１１８の計測データに基づき、既述の磁化情報として、たとえば充電前のセンサ値と充電後のセンサ値との差分情報を得る。この磁化情報は、地磁気センサ１１８から制御部１２８に送信され、ＭＰＵ制御線２２８を介してＭＰＵ１８８に送信される。また、この磁化情報は、たとえばコイル１２、２２による電磁結合を介してＭＰＵ１８８から充電制御部１７８に送信される。
【０１４４】
充電制御部１７８は、地磁気センサ１１８の計測値が計測範囲内であるかを判定する（ステップＳ１１５）。この判定は、たとえば磁化情報に含まれる差分情報の値が、地磁気センサ１１８の計測が可能な範囲内となる程度に小さいか否かで判断される。地磁気センサ１１８の計測値が計測範囲内にない場合（ステップＳ１１５のＮｏ）、充電制御部１７８は、消磁用電力の供給開始に戻り（ステップＳ１１１）、消磁動作が繰り返される。消磁動作を繰り返すことで、充電により生じた磁化をより多く消磁させることができる。地磁気センサ１１８の計測値が計測範囲内である場合（ステップＳ１１５のＹｅｓ）、充電制御部１７８は、切替スイッチ１７６の設定を接続端１ａ、２ａによる第１の接続に切替え（ステップＳ１１６）、非接触充電処理を終了する。
【０１４５】
次に、充電異常検出処理（ステップＳ１０５）について、図２０を参照する。図２０は、充電異常検出処理の処理手順の一例を示すフローチャートである。この充電異常検出処理の処理手順は、充電異常検出処理のサブルーチンの処理である。
【０１４６】
図２０に示す充電異常検出処理では、電池セル１９０の高温異常および低温異常、充電電流Ｉ3の過電流および過電圧、ならびに充電時間Ｔｃの異常が判断される。ＭＰＵ１８８は電池セル１９０の温度Ｂｔが高温異常であるかを判断する（ステップＳ１２１）。高温異常の判断には、温度情報としてＭＰＵ１８８に入力される電池セル１９０の温度Ｂｔが用いられる。この温度Ｂｔが電池セル１９０の高温度設定値Ｂｈより高く、ＭＰＵ１８８が高温異常であると判断すると（ステップＳ１２１のＹｅｓ）、ＭＰＵ１８８は、異常通知処理（ステップＳ１２６）に移行する。この温度Ｂｔが高温度設定値Ｂｈより低く、ＭＰＵ１８８が高温異常ではないと判断すると（ステップＳ１２１のＮｏ）、ＭＰＵ１８８は、電池セル１９０の温度Ｂｔが低温異常であるかを判断する（ステップＳ１２２）。
【０１４７】
電池セル１９０の温度Ｂｔが電池セル１９０の低温度設定値Ｂｌより低く、ＭＰＵ１８８が低温異常であると判断すると（ステップＳ１２２のＹｅｓ）、ＭＰＵ１８８は、異常通知処理（ステップＳ１２６）に移行する。この温度Ｂｔが低温度設定値Ｂｌより高く、ＭＰＵ１８８が低温異常ではないと判断すると（ステップＳ１２２のＮｏ）、ＭＰＵ１８８は、充電電流Ｉ3が過電流であるかを判断する（ステップＳ１２３）。
【０１４８】
過電流の判断には、電池セル１９０の電流値Ｂｃが用いられる。電流値Ｂｃが電池セル１９０の過電流設定値Ｃｏより高く、ＭＰＵ１８８が過電流であると判断すると（ステップＳ１２３のＹｅｓ）、ＭＰＵ１８８は、異常通知処理（ステップＳ１２６）に移行する。電流値Ｂｃが過電流設定値Ｃｏより低く、ＭＰＵ１８８が過電流ではないと判断すると（ステップＳ１２３のＮｏ）、ＭＰＵ１８８は、充電電圧が過電圧であるかを判断する（ステップＳ１２４）。
【０１４９】
過電圧の判断には、電池セル１９０の電圧値Ｂｖが用いられる。この電圧値Ｂｖが電池セル１９０の過電圧設定値Ｖｏより高く、ＭＰＵ１８８が過電圧であると判断すると（ステップＳ１２４のＹｅｓ）、ＭＰＵ１８８は、異常通知処理（ステップＳ１２６）に移行する。電圧値Ｂｖが過電圧設定値Ｖｏより低く、ＭＰＵ１８８が過電圧ではないと判断すると（ステップＳ１２４のＮｏ）、ＭＰＵ１８８は、充電時間範囲かを判断する（ステップＳ１２５）。なお、この電圧値Ｂｖは、携帯端末装置１０４−１がプラス電極２２２とマイナス電極２２４との間の電位差を検出することで得られる。ＭＰＵ１８８はこの電圧値ＢｖをＭＰＵ制御線２２８を介して携帯端末装置１０４−１側から受信する。また、ＭＰＵ１８８をプラス電極２２２に接続し、第１の検出線（Sense 1）との電位差から、電圧値Ｂｖを得てもよい。
【０１５０】
充電時間範囲か否かの判断には、たとえば既述の充電時間Ｔｃが用いられる。この充電時間Ｔｃが設定充電時間Ｔｏ以上である場合、ＭＰＵ１８８は充電時間Ｔｃが充電時間範囲外であり、充電時間異常であると判断する（ステップＳ１２５のＹｅｓ）。充電時間Ｔｃが充電時間範囲外である場合、ＭＰＵ１８８は、異常通知処理（ステップＳ１２６）に移行する。充電時間Ｔｃが、設定充電時間Ｔｏ未満であり、ＭＰＵ１８８が充電時間異常ではないと判断すると（ステップＳ１２５のＮｏ）、充電終了条件の判定処理（ステップＳ１０６）に戻る。なお、この充電時間の判断は、充電終了条件の判定（ステップＳ１０６）をたとえば充電電流値により判定する場合に設定すれば良い。充電終了条件の判定（ステップＳ１０６）を充電停止時間により判定する場合には、設定充電時間Ｔｏよりも小さい充電停止時間を設定することで、充電の時間が異常になる前に非接触充電が終了する。充電停止時間により判定する場合には、充電時間の異常判断が省略可能である。
【０１５１】
異常通知処理（ステップＳ１２６）では、ＭＰＵ１８８は、充電異常を制御部１２８に通知し、制御部１２８に異常表示処理を指示し（ステップＳ１２７）、非接触充電を異常により終了させる。また、携帯端末装置１０４−１では、制御部１２８が表示装置１２６に充電異常を表す文字の表示、光の点灯または点滅を行わせ、充電の異常が表示される。
【０１５２】
この充電異常検出処理は、所定の時間間隔毎に繰り返される。この時間間隔は、異常検出間隔として、たとえばＭＰＵ１８８に予め設定されていればよい。この充電異常検出処理は、高温度設定値Ｂｈ、低温度設定値Ｂｌ、過電流設定値Ｃｏ、過電圧設定値Ｖｏおよび設定充電時間Ｔｏごとに繰り返される。高温度設定値Ｂｈ、低温度設定値Ｂｌ、過電流設定値Ｃｏ、過電圧設定値Ｖｏおよび設定充電時間Ｔｏは、たとえばＭＰＵ１８８に予め設定されていればよい。また、この異常を判断するための設定値を携帯端末装置１０４−１のメモリ部１３０に格納し、充電異常検出処理の際に読み出すようにしてもよい。
【０１５３】
次に、非接触充電の動作タイミングについて図２１を参照する。図２１は、非接触充電の動作タイミングの一例を示している。図２１に示す動作タイミングでは、時刻ｔ１は充電台１０６−１の検出時刻を表し、時刻ｔ２は非接触充電の開始時刻を表している。時刻ｔ３は充電モードの切替え時刻を表し、時刻ｔ４は非接触充電の停止時刻を表している。時刻ｔ５、ｔ９は消磁動作の開始時刻を表し、時刻ｔ６、ｔ１０は消磁動作の停止時刻を表している。また時刻ｔ７は残留磁場の計測開始時刻を表し、ｔ８は残留磁場の計測停止時刻を表している。
【０１５４】
図２１のＡは、０〔Ｖ〕などの基準電圧に対するプラス電極２２２の電圧の変化を示している。非接触充電が開始される時刻ｔ２から、充電モードが切替えられる時刻ｔ３まで電池セル１９０が定電流充電制御で充電される。この定電流充電制御では、プラス電極２２２の電圧が急速に上昇する。時刻ｔ３から非接触充電が停止する時刻ｔ４まで、電池セル１９０が定電圧充電制御で充電される。この定電圧充電制御では、プラス電極２２２の電圧が一定の電圧に維持される。時刻ｔ４後、プラス電極２２２の電圧は、電池セル１９０がフルに充電されている場合の規定電圧となる。なお、定電圧充電制御による充電は、規定電圧よりもわずかに高い電圧で行われる。
【０１５５】
図２１のＢは、ＭＣＵ制御線Ｃ４の電圧の変化を示している。ＭＣＵ制御線Ｃ４の電圧は、時刻ｔ１に低電圧（Ｌ）から高電圧（Ｈ）に上昇する。この電圧の変化により、充電台１０６−１が検出される。ＭＣＵ制御線Ｃ４の電圧は、時刻ｔ４に非接触充電が停止すると、高電圧から低電圧に低下する。
【０１５６】
図２１のＣは、ＭＣＵ制御線Ｃ１の電圧の変化を示している。ＭＣＵ制御線Ｃ１の電圧は、時刻ｔ２から時刻ｔ４までの間高電圧となり、非接触充電中であることが表されている。
【０１５７】
図２１のＤは、ＭＣＵ制御線Ｃ３の電圧の変化を示している。ＭＣＵ制御線Ｃ３の電圧は、時刻ｔ２に低電圧から高電圧に上昇する。この電圧の変化により、スイッチ１８６が全オン状態、つまり全開状態になり、電池セル１９０が定電流で充電される。ＭＣＵ制御線Ｃ３の電圧は、時刻ｔ３から時刻ｔ４にかけて高電圧から低電圧に徐々に低下する。この電圧の変化により、スイッチ１８６を流れる電流量を次第に減少させ、電池セル１９０の電圧が定電圧に維持される。
【０１５８】
図２１のＥは、電流検出部１９４の端子間の電圧Ｃｖの変化を示している。この端子間の電圧Ｃｖは、非接触充電が開始される時刻ｔ２に低下し、低電圧になる。時刻ｔ３に端子間の電圧Ｃｖが上昇を開始する。この端子間の電圧Ｃｖの上昇を契機として、充電モードが定電圧充電制御に切替えられる。定電圧充電モードに切替え後、端子間の電圧Ｃｖは、上昇を続け、非接触充電が終了する時刻ｔ４後、一定の高電圧になる。
【０１５９】
図２１のＦは、スイッチ１８６を流れる充電電流Ｉ3の流量を示している。充電電流Ｉ3の流量は、たとえば電流値として表される。充電電流Ｉ3の流量は、ＭＣＵ制御線Ｃ３の電圧の変化に対応している。ＭＣＵ制御線Ｃ３の制御により、時刻ｔ２までは、スイッチ１８６はオフ状態になる。このとき、充電電流Ｉ3の流量は０である。ＭＣＵ制御線Ｃ３の電圧が高電圧になると、スイッチ１８６が全オン（Full ON）、つまり全開になり、充電電流の流量は最大になる。ＭＣＵ制御線Ｃ３の電圧が徐々に低下すると、スイッチ１８６が半オン（Half ON）、つまり半開になり、充電電流Ｉ3の流量は徐々に低下する。充電電流Ｉ3の流量が既述の終止電流値になる時刻ｔ４には、非接触充電が停止され、スイッチ１８６がオフ状態になる。
【０１６０】
図２１のＧは、電力供給回路１７４の駆動を示している。電力供給回路１７４は、充電のため、時刻ｔ２から時刻ｔ４までの間駆動する。切替スイッチ１７６を切替えるため、電力供給回路１７４は時刻ｔ４から時刻ｔ５の間停止した後、消磁のため、時刻ｔ５から時刻ｔ６の間駆動する。磁場の計測のため、電力供給回路１７４は時刻ｔ６から時刻ｔ９の間停止する。磁場の計測の結果、消磁動作を繰り返す場合、電力供給回路１７４は時刻ｔ８で残留磁場の計測が終了した後、所定の待ち時間（時刻ｔ９−時刻ｔ８）の間、待機した後、時刻ｔ９から時刻ｔ１０の間駆動する。なお、図２１のＧでは、駆動をＯＮとして表し、停止をＯＦＦとして表している。
【０１６１】
図２１のＨは、地磁気センサ１１８の計測を示している。地磁気センサ１１８は、時刻ｔ６に消磁動作が停止した後、所定の待ち時間（時刻ｔ７−時刻ｔ６）の間、待機した後、時刻ｔ７で残留磁場の計測を開始し、時刻８に計測を終了する。図２１のＨでは、計測をＯＮとして表し、停止をＯＦＦとして表している。
【０１６２】
図２１のＩは、切替スイッチ１７６の切替を示している。充電中を含め、時刻ｔ１から時刻ｔ５まで第１の接続が行われ、消磁動作が開始される時刻ｔ５で第２の接続に切り替えられる。この第２の接続は、消磁動作を停止させる時刻ｔ１０まで維持され、時刻ｔ１０に第１の接続に切り替えられる。
【０１６３】
この第３の実施の形態によれば、第１の実施の形態で既述した効果が得られるほか、次のような効果が得られる。
【０１６４】
消磁を行った後に、地磁気センサ１１８の計測結果に基づき再度の消磁を判断するので、確実に消磁が行える。
【０１６５】
〔第４の実施の形態〕
【０１６６】
第４の実施の形態について、図２２を参照して説明する。図２２は第４の実施の形態に係る充電システムの一例を示している。なお、図２２に示す構成は一例であって、斯かる構成に本開示の構成が限定されるものではない。図１ないし図３、図５ないし図７、および図１１と同一部分には同一符号を付してある。図２２中の矢印は、電流の向きを示している。
【０１６７】
第３の実施の形態では、充電台１０６−１が磁界Ｍ１とは逆向きの磁界Ｍ２を生じさせる構成であるが、第４の実施の形態では、電池パック１３２−２が磁界Ｍ１とは逆向きの磁界Ｍ２を生じさせ、磁性材料３０の磁化を消磁する。そこで、第４の実施の形態に係る充電システム１０２−２は、第３の実施の形態に係る充電台１０６−１（図９、図１１）に代えて充電台１０６−２を含んでいる。充電システム１０２−２の携帯端末装置１０４−２は、電池パック１３２−１（図９、図１１）に代えて、電池パック１３２−２を含んでいる。
【０１６８】
図２２に示す充電台１０６−２は、充電台４−２の一例であり、コイル１２と、電力供給回路１７４と、切替スイッチ１７６と、充電制御部１７８と、コンデンサ１８０、３０２とを含んでいる。コイル１２、電力供給回路１７４、切替スイッチ１７６およびコンデンサ１８０、３０２は、非接触充電の１次側回路を形成している。充電台１０６−２は、操作部１８２と、表示部１８４と、記憶部１８５とを含んでいる。
【０１６９】
切替スイッチ１７６は、切替部１６の一例であり、充電制御部１７８から切替信号を受け、コイル１２の接続を切替える。コイル１２は電力供給回路１７４またはコンデンサ３０２に接続される。切替スイッチ１７６の一方には、コイル１２が接続されている。また、切替スイッチ１７６の他方には、接続端１ａ、１ｂ、２ａ、２ｂが形成されている。接続端１ａには電力供給回路１７４の電力線２５４−１が接続され、接続端２ａには電力供給回路１７４の電力線２５４−２が接続されている。接続端１ｂ、２ｂにはコンデンサ３０２の異なる端部が接続されている。このコンデンサ３０２は、コイル１２に並列に接続し、消磁の際、並列共振コンデンサとして機能する。
【０１７０】
充電制御部１７８は、既述の切替信号を切替スイッチ１７６に送信する。この切替信号は、電力供給回路１７４への接続またはコンデンサ３０２への接続を表している。
【０１７１】
その他の構成は、第３の実施の形態と同様である。
【０１７２】
図２２に示す電池パック１３２−２は、充電装置３４−２の一例であり、たとえば充電レシーバモジュールを形成する。電池パック１３２−２は、第３の実施の形態で既述した構成のほか、電力供給回路３０４と、切替スイッチ３０６と、コンデンサ３０８とを含んでいる。
【０１７３】
電力供給回路３０４は、電流供給部２４の一例であり、コイル２２に電流を供給する。電力供給回路３０４は、たとえば充電制御部１７８と同様の回路構成を備え、交流電流を生成する。電力供給回路３０４は、電力線３１２−１、３１２−２によりコイル２２に接続している。
【０１７４】
切替スイッチ３０６は切替部２６の一例であり、コイル２２の接続を切替える。切替スイッチ３０６の一方には、コイル２２が接続され、他方には接続端１ａ、１ｂ、２ａ、２ｂが形成されている。接続端１ａには接続線２０２が接続され、接続端２ａには接続線２１４が接続されている。また、接続端１ｂには、コンデンサ３０８を介して電力線３１２−１が接続され、接続端２ｂは、電力線３１２−２に接続されている。コンデンサ３０８は、コイル２２に対して直列に接続され、直列共振コンデンサとして機能する。切替スイッチ３０６は、第１の接続として接続端１ａ、２ａをコイル２２に接続し、または第２の接続として接続端１ｂ、２ｂをコイル２２に接続する。
【０１７５】
ＭＰＵ１８８のＭＣＵ制御線Ｃ２は電力供給回路３０４および切替スイッチ３０６に接続している。ＭＰＵ１８８は、ＭＣＵ制御線Ｃ２により駆動信号を電力供給回路３０４に送信する。この駆動信号により電力供給回路３０４が駆動し、または停止する。ＭＰＵ１８８はＭＣＵ制御線Ｃ２により切替信号を切替スイッチ３０６に送信する。これにより切替スイッチ３０６の接続が切替えられる。
【０１７６】
その他の構成は、第３の実施の形態と同様であるのでその説明を省略する。
【０１７７】
図２２に示す充電システム１０２−２では、充電台１０６−２が、交流の励磁電流Ｉ1をコイル１２に供給し、電池パック１３２−２が交流の励磁電流Ｉ4をコイル２２に供給する。このため、コイル１２、２２間に生成される磁界Ｍ１、Ｍ２は、いずれも交流の磁界を含む交流磁界となる。つまり、充電および消磁には、交流磁界が用いられる。
【０１７８】
（充電時の電流と磁場の関係）
【０１７９】
電池セル１９０の充電を行う場合、切替スイッチ１７６は、接続端１ａ、２ａ側に接続され、電力供給回路１７４がコイル１２に接続される。切替スイッチ３０６は、接続端１ａ、２ａ側に接続され、コイル２２は、電池セル１９０に接続される。充電時の電流と磁場の関係は、図１３、図１４および図１５に示すように、第３の実施の形態と同様になる。
【０１８０】
（消磁時の電流と磁場の関係）
【０１８１】
磁化の消磁を行う場合、切替スイッチ１７６は、接続端１ｂ、２ｂ側に接続され、コンデンサ３０２がコイル１２に接続される。切替スイッチ３０６は、接続端１ｂ、２ｂ側に接続され、コイル２２は、電力供給回路３０４に接続される。
【０１８２】
消磁時の電流と磁場の関係について図２３、図２４および図２５を参照する。図２３は、消磁時の電流の流れの一例を示している。図２４は、消磁時にコイル２２に流れる電流の一例および消磁時のコイル２２側の磁場の一例を示している。図２５は、消磁時にコイル１２に流れる電流の一例および消磁時のコイル１２側の磁場の一例を示している。なお、図２３では、充電台１０６−２と電池パック１３２−２との電磁結合部分のみを示している。また、図２４のＡおよび図２５のＡに示す電流は、横軸を時間ｔとし、縦軸を電流値で示している。図２４のＡに示す電流は、励磁電流Ｉ4の流れる方向を正の値で表している。図２５のＡに示す電流は、電流Ｉ6の流れる方向を正の値で表している。図２４のＢおよび図２５のＢに示す磁場は、横軸を時間ｔとし、縦軸を磁場の極性で示している。図２３中の矢印は、電流の向きを示している。
【０１８３】
図２３に示す電池パック１３２−２には、消磁時、図２３に示すように充電電流Ｉ3（図１３）とは逆向きの励磁電流Ｉ4が流れている。この場合、充電台１０６−２には、励磁電流Ｉ1（図１３）とは逆向きの電流Ｉ6が流れる。
【０１８４】
励磁電流Ｉ4は、図２４のＡに示すように、電流値は正の値を示している。また励磁電流Ｉ4の変動によりコイル２２側には図２４のＢに示すように、マイナス極性の磁場が発生する。
【０１８５】
コイル１２側に磁場が作用することで、図２５のＡに示す電流Ｉ6が流れる。またコイル１２側には図２５のＢに示すように、プラス極性の磁場が発生する。コイル１２側の磁場およびコイル２２側の磁場により既述の磁界Ｍ２が形成される。
【０１８６】
電流の向きを逆向きにすることにより、充電時と消磁時では磁場の極性を逆転することができる。
【０１８７】
次に、給電方法について図２６を参照する。図２６は、給電方法の処理手順の一例を示している。
【０１８８】
この給電方法は、既述の充電工程２６２と、充電により生じた磁性材料３０の磁化を消磁する消磁工程２６４−２とを含んでいる。充電工程２６２は、第３の実施の形態と同様であるのでその説明を省略する。充電台１０６−２の検出処理（ステップＳ２０１）からスイッチ１８６のオフ状態への切替え処理（ステップＳ２０９）は、第３の実施の形態の充電台１０６−１の検出処理（ステップＳ１０１）からスイッチ１８６のオフ状態への切替え処理（ステップＳ１０９）と同様である。
【０１８９】
（消磁工程２６４−２）
【０１９０】
消磁工程２６４−２は、非接触充電が終了した後、充電工程２６２に続いて行われる。消磁工程２６４−２は、切替スイッチ１７６、３０６の切替え処理（ステップＳ２１０）から磁場の計測値の判定（ステップＳ２１６）までの処理を含んでいる。
【０１９１】
非接触充電が終了した後、充電制御部１７８は、切替スイッチ１７６の接続設定を接続端１ａ、２ａによる第１の接続から、接続端１ｂ、２ｂによる第２の接続に切替える。また、ＭＰＵ１８８は、切替スイッチ３０６の接続設定を接続端１ａ、２ａによる第１の接続から、接続端１ｂ、２ｂによる第２の接続に切替える（ステップＳ２１０）。ＭＰＵ１８８は、電力供給回路３０４を駆動させ、電力供給回路３０４により消磁用電力の供給を開始する（ステップＳ２１１）。斯かる処理により、コイル２２では、励磁電流Ｉ4がコイル２２に流れ、磁界Ｍ２が発生し、消磁動作が開始される。充電により生じた磁性材料３０の磁化の消磁が開始される。また、ＭＰＵ１８８は、消磁用の電力の供給開始後、既述の消磁時間Ｔdを計測する。この消磁時間Ｔdは、たとえばＭＰＵ制御線２２８を介して制御部１２８から送信される時間の情報を用いて計測される。消磁時間Ｔｄは、ＭＰＵ１８８が時間をカウントして計測してもよい。
【０１９２】
ＭＰＵ１８８は、消磁時間Ｔdが設定時間Ｔoutをタイムアウトしたかを判定する（ステップＳ２１２）。この判定は、たとえば消磁時間Ｔdが設定時間Ｔoutであるかにより判定される。消磁時間Ｔdが設定時間Ｔout未満である場合（ステップＳ２１２のＮｏ）、消磁動作が維持される。消磁時間Ｔdが設定時間Ｔout以上になると（ステップＳ２１２のＹｅｓ）、ＭＰＵ１８８は、消磁用電力の供給を停止し（ステップＳ２１３）、切替スイッチ３０６の接続設定を接続端１ａ、２ａによる第１の接続に切替える（ステップＳ２１４）。充電制御部１７８は、切替スイッチ１７６の接続設定を接続端１ａ、２ａによる第１の接続に切替える（ステップＳ２１４）。電力の停止および切替スイッチ１７６、３０６の切り替えにより、消磁動作が終了する。なお、設定時間Ｔoutは、ＭＰＵ１８８に予め設定された時間であってもよい。また、設定時間Ｔoutは、充電開始から終了までの充電時間に基づきＭＰＵ１８８が設定した時間であってもよい。設定時間Ｔoutが充電時間に基づき設定されると、充電時間に応じて消磁時間が設定できる。つまり、充電時間に対応して変動する磁化の量に応じて消磁時間が設定できる。
【０１９３】
消磁動作の終了後、ＭＰＵ１８８は携帯端末装置１０４−２内の磁場を計測する（ステップＳ２１５）。つまり、携帯端末装置１０４−２の磁場変化を既述の地磁気センサ１１８により計測し、磁化情報を得る。
【０１９４】
ＭＰＵ１８８は、地磁気センサ１１８の計測値が計測範囲内であるかを判定する（ステップＳ２１６）。この判定は、たとえば磁化情報に含まれる差分情報の値が地磁気センサ１１８の計測が可能な範囲内となる程度に小さいか否かで判断される。地磁気センサ１１８の計測値が計測範囲内にない場合（ステップＳ２１６のＮｏ）、ＭＰＵ１８８および充電制御部１７８は切替えスイッチ１７６、３０６の切替えに戻り（ステップＳ２１０）、消磁動作が繰り返される。消磁動作を繰り返すことで、充電により生じた磁化をより多く、確実に消磁させることができる。地磁気センサ１１８の計測値が計測範囲内である場合（ステップＳ２１６のＹｅｓ）、充電制御部１７８およびＭＰＵ１８８は、非接触充電処理を終了する。
【０１９５】
次に、非接触充電の動作タイミングについて図２７を参照する。図２７は、非接触充電の動作タイミングの一例を示している。なお、図２７に示すタイミングは一例であって、斯かるタイミングに本開示の構成が限定されるものではない。図２７に示す時刻ｔ１ないし時刻ｔ１０は既述の時刻ｔ１ないし時刻ｔ１０と同様である。
【０１９６】
図２７のＡに示すプラス電極２２２の電圧の変化、図２７のＢに示すＭＣＵ制御線Ｃ４の電圧の変化、および図２７のＣに示すＭＣＵ制御線Ｃ１の電圧の変化は、第３の実施の形態と同様である。図２７のＥに示すＭＣＵ制御線Ｃ３の電圧の変化、図２７のＦに示す電流検出部１９４の端子間の電圧Ｃｖの変化、および図２７のＧに示すスイッチ１８６の電流値の変化は、第３の実施の形態と同様である。図２７のＪに示す地磁気センサ１１８の計測は、第３の実施の形態と同様である。
【０１９７】
図２７のＤに示すＭＣＵ制御線Ｃ２の電圧の変化、図２７のＩに示す電力供給回路３０４の駆動、および図２７のＫに示す切替スイッチ３０６の切替は同じタイミングで変動している。また、図２７のＬに示す切替スイッチ１７６の切替は、切替スイッチ３０６の切替と同じタイミングで変動している。消磁動作を開始する時刻ｔ５および時刻ｔ９に、ＭＣＵ制御線Ｃ２の電圧が高電圧に変わり、電力供給回路３０４が駆動し、切替スイッチ３０６が第２の接続に切替わる。消磁動作を停止する時刻ｔ６、および時刻ｔ１０に、ＭＣＵ制御線Ｃ２の電圧が低電圧に変わり、電力供給回路３０４が停止し、切替スイッチ３０６が第１の接続に切替わる。
【０１９８】
図２７のＨは、電力供給回路１７４の駆動を示している。電力供給回路１７４は、充電のため、非接触充電を開始する時刻ｔ２から非接触充電を停止する時刻ｔ４までの間駆動する。
【０１９９】
この第４の実施の形態によれば、第２の実施の形態で既述した効果が得られるほか、次のような効果が得られる。
【０２００】
消磁を行った後に、地磁気センサ１１８の計測結果に基づき再度の消磁を判断するので、確実に消磁が行える。
【０２０１】
〔第５の実施の形態〕
【０２０２】
第５の実施の形態について、図２８を参照して説明する。図２８は第５の実施の形態に係る充電システムの回路構成の一例を示している。なお、図２８に示す構成は一例であって、斯かる構成に本開示の構成が限定されるものではない。図１ないし図３、図５ないし図７、図１１、図２２と同一部分には同一符号を付してある。図２８中の矢印は、電流の向きを示している。
【０２０３】
第４の実施の形態では、交流の励磁電流Ｉ1、Ｉ4により磁界Ｍ１、Ｍ２を生成する構成である。この磁界Ｍ１、Ｍ２は、時間に応じて変動する変動磁界を含んでいる。この第５の実施の形態では、交流の励磁電流Ｉ1により時間に応じて変動する磁界Ｍ１を生成し、直流の励磁電流Ｉ7により静磁界である磁界Ｍ２を生じさせ、充電により生じた磁性材料３０の磁化を消磁する。そこで、第５の実施の形態に係る充電システム１０２−３は、第４の実施の形態に係る充電台１０６−２（図２２）に代えて充電台１０６−３を含んでいる。充電システム１０２−３の携帯端末装置１０４−３は、電池パック１３２−２（図２２）に代えて、電池パック１３２−３を含んでいる。
【０２０４】
図２８に示す充電台１０６−３は、充電台４−２の一例である。充電台１０６−３では、電力供給回路１７４の電力線２５４−１がコンデンサ１８０を介してコイル１２に接続されている。電力供給回路１７４の電力線２５４−２がコイル１２に接続されている。コイル１２と電力供給回路１７４とコンデンサ１８０は非接触充電の１次側回路を形成している。
【０２０５】
充電制御部１７８は、電力供給回路１７４に接続され、既述の駆動信号を電力供給回路１７４に送信し、電力供給回路１７４を駆動させ、または停止させる。また充電制御部１７８は、表示部１８４および記憶部１８５を制御する。充電制御部１７８は他の機能を含んでもよく、たとえば、時計機能を含み、時間の計測を行ってもよい。
【０２０６】
図２８に示す電池パック１３２−３は、充電装置３４−２の一例である。電池パック１３２−３では２つのコイル２２、３２４を含み、これらのコイル２２、３２４により電池セル１９０の充電および磁性材料３０の磁化の消磁が行われる。
【０２０７】
電池パック１３２−３では、コイル２２の端部が、それぞれ接続線２０２、２１４に接続されている。コイル２２、コンデンサ１９８、スイッチ１８６、電池セル１９０、保護回路１９２、および電流検出部１９４を含むことにより、電池パック１３２−３には非接触充電の２次側回路が形成されている。
【０２０８】
電池パック１３２−３では、電力供給回路３０４（図２２）に代えて、電池セル１９０を直流電源とする電力供給回路３２２が形成されている。
【０２０９】
電力供給回路３２２は、電流供給部２４の一例であり、電池パック１３２−３に設置されるコイル３２４に直流電流を供給する。電力供給回路３２２は、保護回路１９２と、電流調整部３２６と、スイッチ３２８とを含んでいる。保護回路１９２は、受電のための回路および電力供給回路３２２で兼用される。電池パック１３２−３では、保護回路１９２が効率的に使用される。電池セル１９０のプラス極側には、電流調整部３２６とスイッチ３２８とが、電流調整部３２６、スイッチ３２８の順に直列に接続されている。スイッチ３２８および保護回路１９２はそれぞれコイル３２４に接続されている。
【０２１０】
電流調整部３２６はたとえば電流調整用の抵抗を含み、電力供給回路３２２を流れる電流の流量を調整する。スイッチ３２８は、たとえばオン／オフスイッチを含み、電池セル１９０とコイル３２４との間を接続または切断する。スイッチ３２８は、ＭＰＵ１８８のＭＣＵ制御線Ｃ２に接続されている。スイッチ３２８は、ＭＰＵ１８８からの切替信号により電池セル１９０とコイル３２４とを接続し、または切断する。
【０２１１】
コイル３２４には、その内部に鉄芯などの磁性材料の芯３２５が設置されている。直流電流を受け、芯３２５を磁化させ静磁界を発生させる。コイル３２４が発生させる静磁界は、磁界Ｍ２の一例である。
【０２１２】
その他の構成は第４の実施の形態と同様であるのでその説明を省略する。
【０２１３】
図２８に示す充電システム１０２−３では、充電台１０６−３が、交流の励磁電流Ｉ1をコイル１２に供給し、電池パック１３２−３が直流の励磁電流Ｉ7を供給する。このため、コイル１２、２２間に生成される磁界Ｍ１は交流の磁界を含む磁界となる。コイル３２４に生成される磁界Ｍ２は直流磁界を含む静磁界となる。つまり、充電には、交流磁界が用いられ、消磁には、直流磁界が用いられる。
【０２１４】
（充電時の電流と磁場の関係）
【０２１５】
電池セル１９０は、充電制御部１７８が電力供給回路１７４を駆動させ、ＭＰＵ１８８がスイッチ１８６を接続することで充電される。充電時の電流と磁場の関係は、図１３、図１４および図１５に示すように、第３の実施の形態および第４の実施の形態と同様である。
【０２１６】
（消磁時の電流と磁場の関係）
【０２１７】
充電により生じた磁性材料３０の磁化を消磁する場合、ＭＰＵ１８８によりスイッチ３２８が操作され、電池セル１９０のプラス極側とコイル３２４とが接続される。
【０２１８】
消磁時の電流と磁場の関係について図２９および図３０を参照する。図２９は、消磁時の電流の流れの一例を示している。図３０は、消磁時にコイル３２４に流れる電流の一例および消磁時のコイル３２４側の磁場の一例を示している。なお、図２９では、電池パック１３２−３のコイル３２４および芯３２５を示している。また、図３０のＡに示す電流は、横軸を時間ｔとし、縦軸を電流値で示している。なお、電流値は、電流の流れる方向を正の方向として表している。図３０のＢに示す磁場は、横軸を時間ｔとし、縦軸を磁場の極性で示している。図２９中の矢印は、電流の向きを示している。
【０２１９】
電池パック１３２−３には、消磁時、図２９に示すように励磁電流Ｉ7が流れている。この励磁電流Ｉ7は充電電流Ｉ3（図１３）とは逆向きの電流である。つまり、充電電流Ｉ3が時計回りにコイル２２に流れる場合、励磁電流Ｉ7は、反時計回りにコイル３２４に流れる。充電電流Ｉ3が反時計回りにコイル２２に流れる場合、励磁電流Ｉ7は、時計回りにコイル３２４に流れる。
【０２２０】
励磁電流Ｉ7は、図３０のＡに示すように、直流電流である。コイル３２４に芯３２５が設置されることで、芯３２５が磁化し、図３０のＢに示すように、磁場がマイナス極性となり、磁界Ｍ２が発生する。
【０２２１】
電流の向きを逆向きにすることにより、充電時と消磁時では磁場の極性が逆転することができる。
【０２２２】
次に、給電方法について図３１を参照する。図３１は、給電方法の処理手順の一例を示している。
【０２２３】
この給電方法は、非接触充電の一例であり、充電工程２６２と消磁工程２６４−３とを含んでいる。充電工程２６２は、第３の実施の形態および第４の実施の形態の充電工程２６２（図１９）と同じであるのでその説明を省略する。つまり、充電台１０６−３の検出処理（ステップＳ２２１）からスイッチ１８６のオフ状態への切替え処理（ステップＳ２２９）は、第３の実施の形態の充電台１０６−１の検出処理（ステップＳ１０１）からスイッチ１８６のオフ状態への切替え処理（ステップＳ１０９）と同様である。
【０２２４】
（消磁工程２６４−３）
【０２２５】
消磁工程２６４−３は、非接触充電が終了した後、充電工程２６２に続いて行われる。消磁工程２６４−３は、スイッチ３２８をオンにする処理（ステップＳ２３０）から計測値が計測範囲内かを判断する処理（ステップＳ２３４）までの処理を含んでいる。
【０２２６】
充電工程２６２が終了した後、ＭＰＵ１８８は、スイッチ３２８をオンに設定し、スイッチ３２８に電池セル１９０のプラス極側とコイル３２４とを接続させる（ステップＳ２３０）。斯かる接続により、電池セル１９０の電流がコイル３２４に流れ、磁界Ｍ２が発生し、消磁動作が開始される。充電により生じた磁性材料３０の磁化の消磁が開始される。また、ＭＰＵ１８８は、消磁用の電力の供給開始後、既述の消磁時間Ｔdを計測する。
【０２２７】
ＭＰＵ１８８は、消磁時間Ｔdが設定時間Ｔoutをタイムアウトしたかを判定する（ステップＳ２３１）。この判定は、たとえば、消磁時間Ｔdが設定時間Ｔoutであるかにより判定される。消磁時間Ｔdが設定時間Ｔout未満である場合（ステップＳ２３１のＮｏ）、消磁動作が維持される。消磁時間Ｔdが設定時間Ｔout以上になると（ステップＳ２３１のＹｅｓ）、ＭＰＵ１８８は、スイッチ３２８をオフに設定して、電池セル１９０のプラス極側とコイル３２４とを切断し（ステップＳ２３２）、消磁動作を終了する。
【０２２８】
地磁気センサ１１８の計測の開始（ステップＳ２３３）および地磁気センサ１１８の計測値が計測範囲内であるかの判定（ステップＳ２３４）は、第３の実施の形態および第４の実施の形態と同様であるのでその説明を省略する。地磁気センサ１１８の計測により消磁動作を繰り返すことで、充電により生じた磁性材料３０の磁化をより多く消磁させることができる。地磁気センサ１１８の計測値が計測範囲内である場合（ステップＳ２３４のＹｅｓ）、ＭＰＵ１８８は、非接触充電処理を終了する。
【０２２９】
次に、非接触充電の動作タイミングについて図３２を参照する。図３２は、非接触充電の動作タイミングの一例を示している。なお、図３２に示すタイミングは一例であって、斯かるタイミングに本開示の構成および給電方法が限定されるものではない。図３２に示す時刻ｔ１ないし時刻ｔ１０は既述の時刻ｔ１ないし時刻ｔ１０と同様である。
【０２３０】
図３２のＡに示すプラス電極２２２の電圧の変化、図３２のＢに示すＭＣＵ制御線Ｃ４の電圧の変化、および図３２のＣに示すＭＣＵ制御線Ｃ１の電圧の変化は、第４の実施の形態と同様である。図３２のＥに示すＭＣＵ制御線Ｃ３の電圧の変化、図３２のＦに示す電流検出部１９４の端子間の電圧Ｃｖの変化、および図３２のＧに示すスイッチ１８６の電流値の変化は、第４の実施の形態と同様である。図３２のＨに示す電力供給回路１７４の駆動、および図３２のＪに示す地磁気センサ１１８の計測は、第４の実施の形態と同様である。
【０２３１】
図３２のＤに示すＭＣＵ制御線Ｃ２の電圧の変化は、第４の実施の形態と同様である。図３２のＩに示すスイッチ３２８のオンまたはオフは、ＭＣＵ制御線Ｃ２の電圧と同じタイミングで変動している。
【０２３２】
第５の実施の形態によれば、第４の実施の形態で既述した効果が得られるほか、次のような効果が得られる。
【０２３３】
電池セル１９０の電力を使用し、直流電流で磁界Ｍ２を生成するので、電池パック１３２−３に電力供給回路３０４（図２２）のような交流電源を設置する必要がない。
【０２３４】
〔第６の実施の形態〕
【０２３５】
第３の実施の形態ないし第５の実施の形態では、充電台１０６−１、１０６−２、１０６−３または電池パック１３２−１、１３２−２、１３２−３のいずれかで磁界Ｍ２を生成した。第６の実施の形態では、図３３に示すように、充電システム１０２−４が、たとえば携帯端末装置１０４−２と、充電台１０６−１とを含み、電池パック１３２−２および充電台１０６−１の両方が磁界Ｍ２を生成する機能を含む。電池パック１３２−２および充電台１０６−１のいずれで磁界Ｍ２を生成するかは、たとえば、予め優先順位を設定しておき、電池パック１３２−２および充電台１０６−１のいずれかを優先的に用いるようにすればよい。また、充電開始前または充電中に通信によりいずれが磁界Ｍ２を生成するかをＭＰＵ１８８および充電制御部１７８間で調整してもよい。
【０２３６】
充電台１０６−１により磁界Ｍ２を生成する場合、たとえば第３の実施の形態で既述した給電方法および動作タイミングで充電の処理が行われる。
【０２３７】
電池パック１３２−２により磁界Ｍ２を生成する場合、たとえば第４の実施の形態で既述した給電方法および動作タイミングで充電の処理が行われる。
【０２３８】
第６の実施の形態によれば、第３の実施の形態および第４の実施の形態で既述した効果の他、充電台１０６−１および携帯端末装置１０４−２のいずれかを選択して充電により生じた磁性材料３０の磁化を磁界Ｍ２により消磁することができる。
【０２３９】
第６の実施の形態では、充電台１０６−１と、携帯端末装置１０４−２を含んで充電システム１０２−４を形成したが、斯かる組み合わせは一例であり、少なくとも一方の装置で磁界Ｍ２を生じさせる構成であればどのような組み合わせであってもよい。
【０２４０】
〔他の実施の形態〕
【０２４１】
他の実施の形態について図３４および図３５を参照する。図３４および図３５において、磁界Ｍ１、Ｍ２中の矢印は、磁界の向きを示している。励磁電流Ｉ1、励磁電流Ｉ2、充電電流Ｉ3および励磁電流Ｉ4の矢印は、電流の向きを示している。なお、図３４および図３５に示す構成は一例であって、斯かる構成に本開示の構成が限定されるものではない。図１、図２、図９、図１１および図２２と同一部分には同一符号を付してある。なお、図３４および図３５では、電池パック１３２−１、１３２−２の構成の一部を省略している。
【０２４２】
図３４に示す充電システム１０２−５は、携帯端末装置１０４−５と、既述の充電台１０６−１とを含んでいる。
【０２４３】
携帯端末装置１０４−５は、基板４０２を含んでいる。この基板４０２の一方の面側には、磁界検出型の集積回路４０４−１、４０４−２および集積回路４０６−１、４０６−２、４０６−３が設置されている。
【０２４４】
集積回路４０４−１、４０４−２は、既述の電子部品３２（図１）の一例であり、磁界検出機能を有し、たとえば地磁気センサ１１８または磁気センサ１２２を含んでいる。
【０２４５】
集積回路４０６−１、４０６−２、４０６−３は、既述の電子部品３２の一例であり、たとえば制御部１２８またはメモリ部１３０などを形成する。
【０２４６】
基板４０２の一方の面側には、シールド板金１３４−１が設置され、集積回路４０６−１、４０６−２を包囲している。基板４０２の他方の面側には、シールド板金１３４−２が設置されている。
【０２４７】
基板４０２の他方の面側には、既述の電池パック１３２−１が配置されている。つまり、電池パック１３２−１の周囲には、図３４に示すように、シールド板金１３４−１、１３４−２などの磁性材料３０や、集積回路４０４−１、４０４−２、４０６−１、４０６−２、４０６−３などの電子部品３２が配置される。
【０２４８】
充電中、充電台１０６−１のコイル１２には、励磁電流Ｉ1が流れ、磁界Ｍ１が発生する。充電終了後、コイル１２には充電時の逆励磁電流Ｉ2が流れ、コイル１２とコイル２２間で磁界Ｍ１とは逆極性の磁界Ｍ２が発生して、充電時に発生した磁性材料３０の磁化を消磁させる。
【０２４９】
図３５に示す充電システム１０２−６は、携帯端末装置１０４−６と、充電台１０６−２とを含んでいる。携帯端末装置１０４−６では、既述の携帯端末装置１０４−５の電池パック１３２−１が電池パック１３２−２に取替えられている。
【０２５０】
基板４０２の他方の面側には、既述の電池パック１３２−２が配置されている。つまり、電池パック１３２−２の周囲には、図３５に示すように、シールド板金１３４−１、１３４−２などの磁性材料や、集積回路４０４−１、４０４−２、４０６−１、４０６−２、４０６−３などの電子部品３２が配置される。この実施の形態では、携帯端末装置１０４−６側および充電台１０６−２側の両方で磁界Ｍ２を生成することができる。
【０２５１】
充電中、充電台１０６−２のコイル１２には、励磁電流Ｉ1が流れ、磁界Ｍ１が発生する。磁界Ｍ１を受け、コイル２２には、充電電流Ｉ3が流れる。
【０２５２】
（充電台１０６−２側で磁界Ｍ２を発生させる場合）
【０２５３】
充電終了後、コイル１２には充電時とは逆向きの逆励磁電流Ｉ2が流れ、コイル１２とコイル２２間で磁界Ｍ１とは逆極性の磁界Ｍ２が発生して、充電時に発生した磁性材料の磁化を消磁させる。
【０２５４】
（携帯端末装置１０４−６側で磁界Ｍ２を発生させる場合）
【０２５５】
充電完了後、電池パック１３２−２の内部にある電力供給回路３０４からコイル２２に励磁電流Ｉ4を流すことにより、コイル１２とコイル２２間で磁界Ｍ１とは逆極性の磁界Ｍ２が発生して、充電時に発生した磁性材料の磁化を消磁させる。
【０２５６】
これらの実施の形態によれば、既述の効果のほか、電池パック１３２−１の周囲に配置されたシールド板金１３４−１、１３４−２などの磁性材料の磁化が消磁でき、集積回路４０４−１、４０４−２などの電子部品の動作を安定させることができる。
【０２５７】
以上説明した実施の形態について、その特徴事項や変形例を以下に列挙する。
【０２５８】
(1) 上記実施の形態では、非接触給電の一例として非接触充電について説明したが、接点の接触を伴わないで電力の伝送が行われれば良く、携帯端末装置などの電子機器に対する非接触給電であってもよい。たとえば、非接触給電により受けた電力が、電子機器を構成する電子部品に直接供給されてもよい。電子機器に対する非接触給電の休止中に磁界Ｍ２を生成することで、非接触給電により生じた磁性材料の磁化を消磁することができる。
【０２５９】
(2) 第１の実施の形態および第２の実施の形態では、設定時間により消磁動作および充電を終了させた。第１の実施の形態および第２の実施の形態は、たとえば第３の実施の形態および第４の実施の形態のように、地磁気センサ１１８の計測値を取得して、地磁気センサの計測値により消磁動作を繰り返す構成としてもよい。
【０２６０】
また、第３の実施の形態ないし第６の実施の形態および他の実施の形態において、地磁気センサ１１８による計測を行わずに１回の消磁動作で消磁を終了させてもよい。１回の消磁動作で消磁を終了させる場合には、磁場の計測処理（ステップＳ１１４、Ｓ２１５、Ｓ２３３）および計測値の判定処理（ステップＳ１１５、Ｓ２１６、Ｓ２３４）を行わずに非接触充電を終了すれば良い。
【０２６１】
(3) 上記実施の形態では、ＭＰＵ１８８がＭＣＵ制御線Ｃ４により充電台を検知したが、ＭＰＵ１８８が充電台を検知すれば何れの検出であってもよい。たとえば、制御部１２８側で充電台を検知し、充電台の検知情報を充電状態の通知としてＭＰＵ制御線２２８により制御部１２８から受信してもよい。斯かる構成によれば、検知情報をＭＰＵ制御線２２８により受信するので、ＭＣＵ制御線Ｃ４を設ける必要がない。
【０２６２】
(4) 上記実施の形態では、地磁気センサ１１８の計測値が計測範囲内か否かを判断したが、充電前のセンサと充電後のセンサとの差分を表す他の差分情報が一定の範囲内にあるか否かで判断してもよい。たとえば、地磁気センサ１１８が磁場の状態に応じて調整可能なセンサである場合、地磁気センサ１１８を調整するための設定値の差分が差分情報に用いられる。一例として、充電前の設定値と充電後の設定値との差分情報を用いてもよい。地磁気センサ１１８が充電前の設定値と充電後の設定値との差分情報を磁化情報として制御部１２８に送信すれば、ＭＰＵ１８８または充電制御部１７８は、この差分情報を受信することができる。ＭＰＵ１８８または充電制御部１７８は、受信した差分情報が設定範囲内にあるか否かを判断すればよい。
【０２６３】
(5) 上記実施の形態では、消磁動作を行った後に地磁気センサ１１８による磁場計測を行ったが、充電終了後に地磁気センサの計測を行い、その判断結果に基づいて消磁動作を行ってもよい。たとえば、第４の実施の形態の消磁工程２６４−２に代え図３６に示すように、充電工程２６２に続き、磁場の計測（ステップＳ２１５）を行うようにすればよい。この場合、図３７に示す動作ステップが行われる。つまり、時刻ｔ５、ｔ６間で行われたＭＣＵ制御線Ｃ２の電圧の変化、電力供給回路３０４の駆動、切替スイッチ１７６、３０６の切替がスキップされる。また、第５の実施の形態の消磁工程２６４−３を変更して図３８に示すように、充電工程２６２に続き、磁場の計測（ステップＳ２３３）を行うようにすればよい。この場合、図３９に示す動作ステップが行われる。つまり、時刻ｔ５、ｔ６間で行われたＭＣＵ制御線Ｃ２の電圧の変化、スイッチ３２８のオン切替またはオフ切替がスキップされる。
【０２６４】
また、第４の実施の形態の消磁工程２６４−２に代えて、図４０に示す消磁工程２６４−４を行うようにしてもよい。消磁工程２６４−４では、切替スイッチ１７６、３０６の接続端１ａ、２ａ設定への切替え（ステップＳ３０７）が、磁場の計測値が計測範囲内である場合（ステップＳ３０６のＹｅｓ）に行われる。斯かる処理手順によれば、磁場の計測により消磁動作が繰り返される場合であっても、切替スイッチ１７６、３０６の切り替え動作を２回に抑えることができる。消磁工程２６４−４の処理手順（ステップＳ３０１〜３０４）は消磁工程２６４−２の処理手順（ステップＳ２１０〜２１３）と同様である。消磁工程２６４−４の処理手順（ステップＳ３０５〜３０６）は消磁工程２６４−２の処理手順（ステップＳ２１５〜２１６）と同様である。これらの説明を省略する。
【０２６５】
(6) 上記の実施の形態の充電工程２６２において、スイッチ１８６をオンにした後、制御部１２８へ状態通知してもよい。制御部１２８への状態通知と、非接触充電の終了と、スイッチをオフにする処理は、実行する順序を相互に変えてもよい。
【０２６６】
(7) 上記実施の形態では、充電時に磁界Ｍ１を発生させ、消磁時に磁界Ｍ２を発生させたが、磁界Ｍ１と磁界Ｍ２は逆極性であれば良く、斯かる向きに限定されるものではない。例えば蓄電池８または電池セル１９０を逆向きに接続し、充電時に磁界Ｍ２の向きに磁界を発生させ、消磁時に磁界Ｍ１の向きに磁界を発生させてもよい。斯かる構成であっても、充電時に生じた磁性材料３０の磁化を消磁させることができる。
【０２６７】
以上説明したように、本発明の最も好ましい実施の形態等について説明したが、本開示の構成は、上記記載に限定されるものではなく、特許請求の範囲に記載され、または明細書に開示された発明の要旨に基づき、当業者において様々な変形や変更が可能であることは勿論であり、斯かる変形や変更が、本発明の範囲に含まれることは言うまでもない。
【符号の説明】
【０２６８】
２−１、２−２、１０２−１、１０２−２、１０２−３、１０２−４、１０２−５、１０２−６  充電システム
４−１、４−２、１０６−１、１０６−２、１０６−３  充電台
６−１、６−２  電子機器
８  蓄電池
１２、２２、３２４  コイル
１４  電流供給部
１６、２６  切替部
１８、２８、１２８  制御部
３４−１、３４−２  充電装置
１０４−１、１０４−２、１０４−３、１０４−５、１０４−６  携帯端末装置
１１８  地磁気センサ
１２６  表示装置
１３２−１、１３２−２  電池パック
１７４、３０４、３２２  電力供給回路
１７６、３０６  切替スイッチ
１７８  充電制御部
１８８  ＭＰＵ
１９０  電池セル
【図１】
2014200137.tif 000003
【図２】
2014200137.tif 000004
【図３】
2014200137.tif 000005
【図４】
2014200137.tif 000006
【図５】
2014200137.tif 000007
【図６】
2014200137.tif 000008
【図７】
2014200137.tif 000009
【図８】
2014200137.tif 000010
【図９】
2014200137.tif 000011
【図１０】
2014200137.tif 000012
【図１１】
2014200137.tif 000013
【図１２】
2014200137.tif 000014
【図１３】
2014200137.tif 000015
【図１４】
2014200137.tif 000016
【図１５】
2014200137.tif 000017
【図１６】
2014200137.tif 000018
【図１７】
2014200137.tif 000019
【図１８】
2014200137.tif 000020
【図１９】
2014200137.tif 000021
【図２０】
2014200137.tif 000022
【図２１】
2014200137.tif 000023
【図２２】
2014200137.tif 000024
【図２３】
2014200137.tif 000025
【図２４】
2014200137.tif 000026
【図２５】
2014200137.tif 000027
【図２６】
2014200137.tif 000028
【図２７】
2014200137.tif 000029
【図２８】
2014200137.tif 000030
【図２９】
2014200137.tif 000031
【図３０】
2014200137.tif 000032
【図３１】
2014200137.tif 000033
【図３２】
2014200137.tif 000034
【図３３】
2014200137.tif 000035
【図３４】
2014200137.tif 000036
【図３５】
2014200137.tif 000037
【図３６】
2014200137.tif 000038
【図３７】
2014200137.tif 000039
【図３８】
2014200137.tif 000040
【図３９】
2014200137.tif 000041
【図４０】
2014200137.tif 000042